(57)【要約】      （修正有）【課題】ユーザ機器と基地局の間の高速アップリンクチャネルを通して、低減された送信時間間隔（ＴＴＩ）を使用して低レイテンシ通信を可能にする技法を提供する。【解決手段】ユーザ機器（ＵＥ）において、動作１２００は、高速アップリンクチャネルを通して、レガシー送信時間間隔（ＴＴＩ）よりも短い持続時間を有する、低減された送信時間間隔（ＴＴＩ）を用いた低レイテンシデータ通信をサポートすることを、基地局に通知する１２０２。ＵＥは、低減されたＴＴＩに従って、高速アップリンクチャネルを使用して、基地局との低レイテンシデータ通信を実行する１２０４。【選択図】図１２
2020115648.tif 000002
【特許請求の範囲】
【請求項１】
ユーザ機器（ＵＥ）によるワイヤレス通信のための方法であって、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うことと
を備える、方法。
【請求項２】
前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
をさらに備える、請求項１に記載の方法。
【請求項３】
前記低レイテンシ通信を行うために、前記基地局から、前記与えられた指示に応答してパラメータを受信することをさらに備え、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、請求項１に記載の方法。
【請求項４】
前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、
請求項１に記載の方法。
【請求項５】
アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、
請求項４に記載の方法。
【請求項６】
前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、
請求項４に記載の方法。
【請求項７】
前記低レイテンシ通信を行うことは、
前記タイムスロットのうちの１つ中で第１の高速物理アップリンク共有チャネル（ＱＰＵＳＣＨ）においてデータを送信すること
を備え、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信すること
をさらに備える、請求項４に記載の方法。
【請求項８】
前記低減されたＴＴＩに従って前記基地局から送信された高速物理ダウンリンク共有チャネル（ＱＰＤＳＣＨ）においてデータを受信することをさらに備える、請求項４に記載の方法。
【請求項９】
前記低レイテンシ通信を行うことは、
前記ＱＰＤＳＣＨ送信が高速物理アップリンク制御チャネル（ＱＰＵＣＣＨ）において正常に受信されたかどうかの指示を送信すること
を備える、請求項８に記載の方法。
【請求項１０】
前記ＱＰＵＣＣＨが、前記低減されたＴＴＩに従って前記ＱＰＤＳＣＨ送信からいくつかのサブフレーム後のタイムスロット中で送信される、請求項９に記載の方法。
【請求項１１】
前記低レイテンシ通信を行うことが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信すること
を備える、請求項４に記載の方法。
【請求項１２】
前記低レイテンシ通信を行うことが、
前記２つのタイムスロットのうちの１つ中で高速物理アップリンク共有チャネル（ＱＰＵＳＣＨ）においてチャネル品質インジケータ（ＣＱＩ）を送信すること
を備える、請求項４に記載の方法。
【請求項１３】
少なくとも１つのプロセッサに結合されたメモリを備える、ユーザ機器（ＵＥ）によるワイヤレス通信のための装置であって、ここにおいて、前記少なくとも１つのプロセッサは、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うことと
をするように構成される、装置。
【請求項１４】
前記少なくとも１つのプロセッサは、
前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
を行うようにさらに構成される、請求項１３に記載の装置。
【請求項１５】
前記少なくとも１つのプロセッサは、
前記低レイテンシ通信を行うために、前記基地局から、前記与えられた指示に応答してパラメータを受信すること、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、
を行うようにさらに構成される、請求項１３に記載の装置。
【請求項１６】
前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、
請求項１３に記載の装置。
【請求項１７】
アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、
請求項１６に記載の装置。
【請求項１８】
前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、
請求項１６に記載の装置。
【請求項１９】
前記少なくとも１つのプロセッサは、
前記タイムスロットのうちの１つ中で第１の高速物理アップリンク共有チャネル（ＱＰＵＳＣＨ）においてデータを送信すること
によって前記低レイテンシ通信を行うように構成され、
ここにおいて、前記少なくとも１つのプロセッサは、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信する
ようにさらに構成される、請求項１６に記載の装置。
【請求項２０】
前記少なくとも１つのプロセッサが、前記低減されたＴＴＩに従って前記基地局から送信された高速物理ダウンリンク共有チャネル（ＱＰＤＳＣＨ）においてデータを受信するようにさらに構成される、請求項１６に記載の装置。
【請求項２１】
前記少なくとも１つのプロセッサは、
前記ＱＰＤＳＣＨ送信が高速物理アップリンク制御チャネル（ＱＰＵＣＣＨ）において正常に受信されたかどうかの指示を送信すること
によって前記低レイテンシ通信を行うように構成される、請求項２０に記載の装置。
【請求項２２】
前記ＱＰＵＣＣＨが、前記低減されたＴＴＩに従って前記ＱＰＤＳＣＨ送信からいくつかのサブフレーム後のタイムスロット中で送信される、請求項２１に記載の装置。
【請求項２３】
前記少なくとも１つのプロセッサが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信すること
によって前記低レイテンシ通信を行うように構成される、請求項１６に記載の装置。
【請求項２４】
前記少なくとも１つのプロセッサが、
前記２つのタイムスロットのうちの１つ中で高速物理アップリンク共有チャネル（ＱＰＵＳＣＨ）においてチャネル品質インジケータ（ＣＱＩ）を送信すること
によって前記低レイテンシ通信を行うように構成される、請求項１６に記載の装置。
【請求項２５】
ユーザ機器（ＵＥ）によるワイヤレス通信のための方法であって、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することと
を備える、方法。
【請求項２６】
前記ａＰＤＣＣＨが、いくつかのタイプのＵＥに送信するとき、レガシー制御チャネルにおいて復調基準信号（ＤＭＲＳ）のために定義されたリソースを占有する、請求項２５に記載の方法。
【請求項２７】
前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、
請求項２５に記載の方法。
【請求項２８】
少なくとも１つのプロセッサに結合されたメモリを備える、ユーザ機器（ＵＥ）によるワイヤレス通信のための装置であって、ここにおいて、前記少なくとも１つのプロセッサが、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することと
を行うように構成される、装置。
【請求項２９】
前記ａＰＤＣＣＨが、いくつかのタイプのＵＥに送信するとき、レガシー制御チャネルにおいて復調基準信号（ＤＭＲＳ）のために定義されたリソースを占有する、請求項２８に記載の装置。
【請求項３０】
前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、
請求項２８に記載の装置。
【発明の詳細な説明】
【米国特許法第１１９条に基づく優先権の主張】
【０００１】
[0001]  本出願は、その全てが、それらの全体が参照により本明細書に組み込まれる、２０１４年１０月３日に出願された、「UPLINK CHANNEL WITH LOW LATENCY」と題する米国仮特許出願第６２／０５９，７２６号と、２０１４年１０月３日に出願された、「ENHANCED DOWNLINK CONTROL CHANNEL DESIGN」と題する米国仮特許出願第６２／０５９，８３１号との利益を主張する、２０１５年９月２５日に出願された米国特許出願第１４／８６６，４６５号の優先権を主張する。
【技術分野】
【０００２】
[0002]  本開示は、一般に通信システムに関し、より詳細には、ワイヤレス通信システムにおいて通信を管理するための拡張ダウンリンク制御チャネル設計と、低レイテンシ通信のための低減された送信時間間隔（ＴＴＩ：transmission time interval）を可能にする高速アップリンクチャネルとに関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]  レガシーＬＴＥを採用するワイヤレス通信システムでは、ｅノードＢが、物理アップリンク共有チャネル（ＰＵＳＣＨ：Physical Uplink Shared Channel）と呼ばれる共有アップリンクチャネル上で複数のＵＥからデータを受信し得る。さらに、ＰＵＳＣＨに関連する制御情報が、物理アップリンク制御チャネル（ＰＵＣＣＨ：Physical Uplink Control Channel）および／または拡張ＰＵＣＣＨ（ｅＰＵＣＣＨ）を介してＵＥによってｅノードＢに送信され得る。
【発明の概要】
【０００６】
[0006]  本開示の態様は、ワイヤレス通信システムにおける通信を管理するための拡張ダウンリンク制御チャネル設計に関する。
【０００７】
[0007]  本開示のいくつかの態様は、ワイヤレス通信のための方法を提供する。本方法は、概して、２つのスロットを備えるダウンリンクサブフレーム中で、基地局（ＢＳ）から少なくとも１つのタイプの高度物理ダウンリンク制御チャネル（ａＰＤＣＣＨ：advanced physical downlink control channel）を受信することと、セル固有基準信号（ＣＲＳ：cell-specific reference signal）に基づいてａＰＤＣＣＨを復調することとを含む。
【０００８】
[0008]  いくつかの態様によれば、ＣＲＳは、ダウンリンクサブフレーム中の２つのスロットのうちの一方または両方にわたる。いくつかの場合には、本方法は、ダウンリンクサブフレーム中で少なくとも１つの物理ダウンリンク共有チャネル（ＰＤＳＣＨ：Physical Downlink Shared Channel）を受信することと、ＣＲＳに基づいてＰＤＳＣＨを復調することとをさらに含む。さらに、本方法は、ＢＳからのシグナリングに基づいてａＰＤＣＣＨの開始シンボルを決定することを含み得る。
【０００９】
[0009]  いくつかの場合には、ａＰＤＣＣＨは、ダウンリンクサブフレームの２つのスロットにわたる制御チャネル領域において送信される。さらに、いくつかの場合には、ダウンリンクサブフレームはまた、マシンタイプ通信（ＭＴＣ：Machine Type Communication）データトラフィックを搬送するためにダウンリンクサブフレームの２つのスロットにわたるデータチャネル領域を備える。
【００１０】
[0010]  いくつかの態様によれば、ａＰＤＣＣＨは、シングルスロット送信時間間隔（ＴＴＩ）を有する高速物理ダウンリンク制御チャネル（ＱＰＤＣＣＨ：quick physical downlink control channel）を備え、ＱＰＤＣＣＨは、ダウンリンクサブフレームの１つのスロットにわたる制御チャネル領域において送信される。いくつかの場合には、ＱＰＤＣＣＨは、同じ１つのスロット中で、高速物理ダウンリンク共有チャネル（ＱＰＤＳＣＨ：quick physical downlink shared channel）のためのリソースを示す。さらに、いくつかの場合には、制御チャネル領域は、１つのスロットのレガシー制御領域以外の全てにわたる。いくつかの態様によれば、ダウンリンクサブフレームは、ダウンリンクサブフレームの２つのスロットにわたる別の制御チャネル領域と、ダウンリンクサブフレームの２つのスロットにわたる物理ダウンリンク共有チャネル（ＰＤＳＣＨ）領域とをさらに備える。
【００１１】
[0011]  本開示のいくつかの態様は、ワイヤレス通信のための装置を提供する。本装置は、概して、少なくとも１つのプロセッサに結合されたメモリを含み、ここにおいて、少なくとも１つのプロセッサは、２つのスロットを備えるダウンリンクサブフレーム中で、基地局（ＢＳ）から少なくとも１つのタイプの高度物理ダウンリンク制御チャネル（ａＰＤＣＣＨ）を受信することと、セル固有基準信号（ＣＲＳ）に基づいてａＰＤＣＣＨを復調することとを行うように構成される。
【００１２】
[0012]  本開示のいくつかの態様は、ワイヤレス通信のための装置を提供する。本装置は、概して、２つのスロットを備えるダウンリンクサブフレーム中で、基地局（ＢＳ）から少なくとも１つのタイプの高度物理ダウンリンク制御チャネル（ａＰＤＣＣＨ）を受信するための手段と、セル固有基準信号（ＣＲＳ）に基づいてａＰＤＣＣＨを復調するための手段とを含む。
【００１３】
[0013]  本開示のいくつかの態様は、ワイヤレス通信のための非一時的コンピュータ可読媒体を提供する。本非一時的コンピュータ可読媒体は、概して、２つのスロットを備えるダウンリンクサブフレーム中で、基地局（ＢＳ）から少なくとも１つのタイプの高度物理ダウンリンク制御チャネル（ａＰＤＣＣＨ）を受信することと、セル固有基準信号（ＣＲＳ）に基づいてａＰＤＣＣＨを復調することとを行うための命令を含む。
【００１４】
[0014]  本開示のいくつかの態様は、ワイヤレス通信のための方法を提供する。本方法は、概して、２つのスロットを備えるダウンリンクサブフレーム中で、少なくとも１つのタイプの高度物理ダウンリンク制御チャネル（ａＰＤＣＣＨ）をユーザ機器に送信することと、ＵＥがａＰＤＣＣＨを復調するために使用すべきセル固有基準信号（ＣＲＳ）をダウンリンクサブフレーム中で送信することとを含む。
【００１５】
[0015]  いくつかの態様によれば、いくつかの場合には、ＣＲＳは、ダウンリンクサブフレーム中の２つのスロットのうちの一方または両方にわたる。いくつかの場合には、ａＰＤＣＣＨは、いくつかのタイプのＵＥ（例えば、ＭＴＣ  ＵＥ）に送信するとき、レガシー制御チャネルにおいて復調基準信号（ＤＭＲＳ：demodulation reference signal）のために定義されたリソースを占有する。
【００１６】
[0016]  いくつかの態様によれば、本方法は、ＣＲＳに基づいてＵＥによって復調されるべき少なくとも１つの物理ダウンリンク共有チャネル（ＰＤＳＣＨ）をダウンリンクサブフレーム中で送信することをさらに含む。他の態様では、本方法は、ＵＥにａＰＤＣＣＨの開始シンボルの指示をシグナリングすることを含む。
【００１７】
[0017]  いくつかの態様によれば、ａＰＤＣＣＨは、ダウンリンクサブフレームの２つのスロットにわたる制御チャネル領域において送信される。いくつかの場合には、ダウンリンクサブフレームはまた、マシンタイプ通信（ＭＴＣ）データトラフィックを搬送するためにダウンリンクサブフレームの２つのスロットにわたるデータチャネル領域を備える。
【００１８】
[0018]  いくつかの態様によれば、ａＰＤＣＣＨは、シングルスロット送信時間間隔（ＴＴＩ）を有する高速物理ダウンリンク制御チャネル（ＱＰＤＣＣＨ）を備える。いくつかの場合には、ａＰＤＣＣＨは、ダウンリンクサブフレームの１つのスロットにわたる制御チャネル領域において送信される。さらに、いくつかの場合には、制御チャネル領域は、１つのスロットのレガシー制御領域以外の全てにわたる。
【００１９】
[0019]  いくつかの態様によれば、いくつかの場合には、ＱＰＤＣＣＨは、同じ１つのスロット中で、高速物理ダウンリンク共有チャネル（ＱＰＤＳＣＨ）のためのリソースを示す。
【００２０】
[0020]  いくつかの態様によれば、ダウンリンクサブフレームは、ダウンリンクサブフレームの２つのスロットにわたる別の制御チャネル領域と、ダウンリンクサブフレームの２つのスロットにわたる物理ダウンリンク共有チャネル（ＰＤＳＣＨ）領域とをさらに備える。
【００２１】
[0021]  本開示のいくつかの態様は、ワイヤレス通信のための装置を提供する。本装置は、概して、少なくとも１つのプロセッサに結合されたメモリを含み、ここにおいて、少なくとも１つのプロセッサは、２つのスロットを備えるダウンリンクサブフレーム中で、少なくとも１つのタイプの高度物理ダウンリンク制御チャネル（ａＰＤＣＣＨ）をユーザ機器に送信することと、ＵＥがａＰＤＣＣＨを復調するために使用すべきセル固有基準信号（ＣＲＳ）をダウンリンクサブフレーム中で送信することとを行うように構成される。
【００２２】
[0022]  本開示のいくつかの態様は、ワイヤレス通信のための装置を提供する。本装置は、概して、２つのスロットを備えるダウンリンクサブフレーム中で、少なくとも１つのタイプの高度物理ダウンリンク制御チャネル（ａＰＤＣＣＨ）をユーザ機器に送信するための手段と、ＵＥがａＰＤＣＣＨを復調するために使用すべきセル固有基準信号（ＣＲＳ）をダウンリンクサブフレーム中で送信するための手段とを含む。
【００２３】
[0023]  本開示のいくつかの態様は、ワイヤレス通信のための非一時的コンピュータ可読媒体を提供する。本非一時的コンピュータ可読媒体は、概して、２つのスロットを備えるダウンリンクサブフレーム中で、少なくとも１つのタイプの高度物理ダウンリンク制御チャネル（ａＰＤＣＣＨ）をユーザ機器に送信することと、ＵＥがａＰＤＣＣＨを復調するために使用すべきセル固有基準信号（ＣＲＳ）をダウンリンクサブフレーム中で送信することとを行うための命令を含む。
【００２４】
[0024]  本開示の態様は、低レイテンシ通信のための低減された送信時間間隔（ＴＴＩ）を可能にする高速アップリンクチャネルのための機構を提供する。
【００２５】
[0025]  本開示のいくつかの態様は、ユーザ機器（ＵＥ）によるワイヤレス通信のための方法を提供する。本方法は、概して、基地局に、ＵＥが１つまたは複数の高速アップリンクチャネルを通して低レイテンシ通信をサポートすることが可能であるという指示を与えることと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、基地局との低レイテンシ通信を行うこととを含む。
【００２６】
[0026]  いくつかの態様によれば、レガシーＴＴＩの持続時間がサブフレームの持続時間に対応し、ここにおいて、サブフレームは２つのタイムスロットを含み、低減されたＴＴＩのより短い持続時間はタイムスロットの持続時間に対応する。いくつかの場合には、ＵＥは、２つのタイムスロットのうちの両方ではなく、１つ中で、高速物理アップリンク制御チャネル（ＱＰＵＣＣＨ：quick physical uplink control channel）を送信することが可能である。
【００２７】
[0027]  いくつかの態様によれば、低レイテンシ通信を行うことは、タイムスロットのうちの１つ中で第１の高速物理アップリンク共有チャネル（ＱＰＵＳＣＨ：quick physical uplink shared channel）においてデータを送信することを備える。
【００２８】
[0028]  さらに、いくつかの場合には、本方法は、低減されたＴＴＩに従って基地局から送信された高速物理ダウンリンク制御チャネル（ＱＰＤＣＣＨ）において、第１のＱＰＵＳＣＨにおいて送信されたデータが基地局によって正常に受信されたかどうかの指示を受信することを含む。いくつかの場合には、ＱＰＤＣＣＨは、低減されたＴＴＩに従ってＱＰＵＳＣＨ送信から第１の数のサブフレーム後のタイムスロット中に受信される。さらに、いくつかの場合には、ＱＰＤＣＣＨにおける指示は、第１のＱＰＵＳＣＨにおいて送信されたデータが正常に受信されなかったことを示し、低減されたＴＴＩに従ってＱＰＤＣＣＨにおいて指示を受信してから第２の数のサブフレーム後のタイムスロット中で第２のＱＰＵＳＣＨにおいてデータを再送信することをさらに備える。
【００２９】
[0029]  本開示のいくつかの態様は、ユーザ機器（ＵＥ）によるワイヤレス通信のための装置を提供する。本装置は、概して、少なくとも１つのプロセッサに結合されたメモリを含み、ここにおいて、少なくとも１つのプロセッサは、基地局に、ＵＥが１つまたは複数の高速アップリンクチャネルを通して低レイテンシ通信をサポートすることが可能であるという指示を与えることと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、基地局との低レイテンシ通信を行うこととをするように構成される。
【００３０】
[0030]  本開示のいくつかの態様は、ユーザ機器（ＵＥ）によるワイヤレス通信のための装置を提供する。本装置は、概して、基地局に、ＵＥが１つまたは複数の高速アップリンクチャネルを通して低レイテンシ通信をサポートすることが可能であるという指示を与えるための手段と、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、基地局との低レイテンシ通信を行うための手段とを含む。
【００３１】
[0031]  本開示のいくつかの態様は、ユーザ機器（ＵＥ）によるワイヤレス通信のための非一時的コンピュータ可読媒体を提供する。本非一時的コンピュータ可読媒体は、概して、基地局に、ＵＥが１つまたは複数の高速アップリンクチャネルを通して低レイテンシ通信をサポートすることが可能であるという指示を与えることと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、基地局との低レイテンシ通信を行うこととをするための命令を含む。
【００３２】
[0032]  本開示のいくつかの態様は、基地局（ＢＳ）によるワイヤレス通信のための方法を提供する。本方法は、概して、ユーザ機器（ＵＥ）から、ＵＥが１つまたは複数の高速アップリンクチャネルを通して低レイテンシ通信をサポートすることが可能であるという指示を受信することと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、ＵＥとの低レイテンシ通信を行うこととを含む。
【００３３】
[0033]  いくつかの態様によれば、本方法は、レガシーＴＴＩに従ってＵＥとともに１つまたは複数のプロシージャに参加することをさらに含む。いくつかの場合には、１つまたは複数のプロシージャに参加することは、セル探索を助けるために同期信号を送信すること、システム情報ブロック（ＳＩＢ：system information block）を送信すること、ランダムアクセスチャネル（ＲＡＣＨ：random access channel）プロシージャに参加すること、ページングメッセージを送信すること、またはアイドルモードプロシージャに参加することのうちの少なくとも１つを備える。
【００３４】
[0034]  いくつかの態様によれば、本方法は、指示を受信したことに応答して、ＵＥに、低レイテンシ通信を行うためのパラメータを送信することをさらに含む。いくつかの場合には、パラメータは、１つまたは複数の高速アップリンクチャネルのための時間リソースまたは周波数リソースのうちの少なくとも１つを示す。さらに、いくつかの場合には、パラメータは、１つまたは複数の高速アップリンクチャネルを使用してダウンリンク送信に確認応答することにおいて使用するためのリソースへのダウンリンク送信のマッピングを示す。
【００３５】
[0035]  いくつかの態様によれば、レガシーＴＴＩの持続時間がサブフレームの持続時間に対応し、ここにおいて、サブフレームは２つのタイムスロットを含み、低減されたＴＴＩのより短い持続時間はタイムスロットの持続時間に対応する。いくつかの場合には、アップリンク制御情報を送信するための高速物理アップリンク制御チャネル（ＱＰＵＣＣＨ）フォーマットの第１のセットが、２つのタイムスロットのうちの第１のタイムスロット中でサポートされ、ＱＰＵＣＣＨフォーマットの第２のセットが、２つのタイムスロットのうちの第２のタイムスロット中でサポートされ、ここにおいて、第２のセットは、第１のセットの低減されたサブセットである。いくつかの場合には、第１のセットと第２のセットとのＱＰＵＣＣＨフォーマットのうちの少なくともいくつかは、レガシー物理アップリンク制御チャネル（ＰＵＣＣＨ：physical uplink control channel）フォーマットに基づく。
【００３６】
[0036]  いくつかの態様によれば、本方法は、２つのタイムスロットのうちの第１のタイムスロット中で高速物理アップリンク制御チャネル（ＱＰＵＣＣＨ）を送信するためにリソースブロック（ＲＢ：resource block）の第１のセットをＵＥに割り振ることと、２つのタイムスロットのうちの第２のタイムスロット中でＱＰＵＣＣＨを送信するために、ＲＢの第１のセットとは異なるＲＢの第２のセットをＵＥに割り振ることとをさらに含む。
【００３７】
[0037]  いくつかの態様によれば、ＵＥは、２つのタイムスロットのうちの両方ではなく、１つ中で、高速物理アップリンク制御チャネル（ＱＰＵＣＣＨ）を送信することが可能である。
【００３８】
[0038]  いくつかの態様によれば、低レイテンシ通信を行うことは、ＵＥから、タイムスロットのうちの１つ中で第１の高速物理アップリンク共有チャネル（ＱＰＵＳＣＨ）においてデータを受信することを備える。
【００３９】
[0039]  いくつかの態様によれば、本方法は、低減されたＴＴＩに従って基地局から送信された高速物理ダウンリンク制御チャネル（ＱＰＤＣＣＨ）において、第１のＱＰＵＳＣＨにおいて送信されたデータが正常に受信されたかどうかの指示を送信することをさらに含む。いくつかの場合には、ＱＰＤＣＣＨは、低減されたＴＴＩに従ってＱＰＵＳＣＨ送信から第１の数のサブフレーム後のタイムスロット中に送信される。
【００４０】
[0040]  いくつかの態様によれば、本方法は、ＵＥからのＱＰＵＳＣＨ送信とレガシーＵＥからのレガシー物理アップリンク共有チャネル（ＰＵＳＣＨ）送信とに確認応答するために使用されるリソースが衝突しないように、ＱＰＵＳＣＨ送信とＰＵＳＣＨ送信とをスケジュールすることをさらに含む。
【００４１】
[0041]  いくつかの態様によれば、本方法は、低減されたＴＴＩに従って高速物理ダウンリンク共有チャネル（ＱＰＤＳＣＨ）においてデータをＵＥに送信することをさらに含む。
【００４２】
[0042]  いくつかの場合には、低レイテンシ通信を行うことは、ＱＰＤＳＣＨ送信が高速物理アップリンク制御チャネル（ＱＰＵＣＣＨ）において正常に受信されたかどうかの指示を受信することを備える。さらに、いくつかの場合には、ＱＰＵＣＣＨは、低減されたＴＴＩに従ってＱＰＤＳＣＨ送信からいくつかのサブフレーム後のタイムスロット中で受信される。
【００４３】
[0043]  いくつかの態様によれば、本方法は、ＵＥへのＱＰＤＳＣＨ送信とレガシーＵＥへのレガシー物理ダウンリンク共有チャネル（ＰＤＳＣＨ）送信とに確認応答するために使用されるリソースが衝突しないように、ＱＰＤＳＣＨ送信とＰＤＳＣＨ送信とをスケジュールすることをさらに含む。
【００４４】
[0044]  いくつかの場合には、低レイテンシ通信を行うことは、サウンディング基準信号（ＳＲＳ）と多重化された２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを受信することを備える。
【００４５】
[0045]  さらに、いくつかの態様によれば、低レイテンシ通信を行うことは、２つのタイムスロットのうちの１つ中で高速物理アップリンク共有チャネル（ＱＰＵＳＣＨ）においてチャネル品質インジケータ（ＣＱＩ：channel quality indicator）を受信することを備える。
【００４６】
[0046]  本開示のいくつかの態様は、ワイヤレス通信のための装置を提供する。本装置は、概して、少なくとも１つのプロセッサに結合されたメモリを含み、ここにおいて、少なくとも１つのプロセッサは、ユーザ機器（ＵＥ）から、ＵＥが１つまたは複数の高速アップリンクチャネルを通して低レイテンシ通信をサポートすることが可能であるという指示を受信することと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、ＵＥとの低レイテンシ通信を行うこととをするように構成される。
【００４７】
[0047]  本開示のいくつかの態様は、ワイヤレス通信のための装置を提供する。本装置は、概して、ユーザ機器（ＵＥ）から、ＵＥが１つまたは複数の高速アップリンクチャネルを通して低レイテンシ通信をサポートすることが可能であるという指示を受信するための手段と、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、ＵＥとの低レイテンシ通信を行うための手段とを含む。
【００４８】
[0048]  本開示のいくつかの態様は、ユーザ機器（ＵＥ）から、ＵＥが１つまたは複数の高速アップリンクチャネルを通して低レイテンシ通信をサポートすることが可能であるという指示を受信することと、ここにおいて、１つまたは複数の高速アップリンクチャネルが、レガシー送信時間間隔（ＴＴＩ）よりもより短い持続時間を有する、低レイテンシ通信のための低減されたＴＴＩを可能にする、低減されたＴＴＩに従って、１つまたは複数の高速アップリンクチャネルを使用して、ＵＥとの低レイテンシ通信を行うこととを行うためのコードを備える、ワイヤレス通信のための非一時的コンピュータ可読媒体を提供する。
【図面の簡単な説明】
【００４９】
【図１】本開示の一態様による、電気通信システムの一例を概念的に示すブロック図。
【図２】本開示の一態様による、アクセスネットワークの一例を示す図。
【図３】本開示の一態様による、ＬＴＥにおけるＤＬフレーム構造の一例を示す図。
【図４】本開示の一態様による、ＬＴＥにおけるＵＬフレーム構造の一例を示す図。
【図５】本開示の一態様による、ユーザおよび制御プレーンのための無線プロトコルアーキテクチャの一例を示す図。
【図６】本開示の一態様による、アクセスネットワーク中の発展型ノードＢおよびユーザ機器の一例を示す図。
【図７】本開示のいくつかの態様による、ユーザ機器（ＵＥ）において迅速化されたＵＥ通信を管理するための例示的な動作の流れ図。
【図８】本開示のいくつかの態様による、迅速化された通信を管理するためにダウンリンクサブフレームを構成および送信するための例示的な動作の流れ図。
【図９】本開示の態様による、ワイヤレス通信システムにおける迅速化されたＵＥ通信を管理するためのダウンリンクフレーム構造の一例を示す図。
【図１０】本開示の態様による、マシンタイプ通信（ＭＴＣ）を管理するためのダウンリンクフレーム構造の一例を示す図。
【図１１】本開示の態様による、低レイテンシ（ＬＬ：Low Latency）通信を管理するためのダウンリンクフレーム構造の一例を示す図。
【図１２】本開示の態様による、ユーザ機器（ＵＥ）によるワイヤレス通信のための例示的な動作を示す図。
【図１３】本開示の態様による、基地局（ＢＳ）によるワイヤレス通信のための例示的な動作を示す図。
【図１４】本開示の態様による、例示的な低レイテンシアップリンクチャネル設計を示す図。
【図１５】本開示の態様による、例示的なアップリンクハイブリッド自動再送要求（ＨＡＲＱ：Hybrid Automatic Repeat Request）送信を示す図。
【図１６】本開示の態様による、例示的なダウンリンクハイブリッド自動再送要求（ＨＡＲＱ）送信を示す図。
【詳細な説明】
【００５０】
[0065]  本開示のいくつかの態様は、マシンタイプ通信（ＭＴＣ）および／または低レイテンシ（ＬＬ）通信を管理するために使用され得る拡張ダウンリンク制御チャネルに関する。ＬＬの場合、そのような設計は、レガシーデバイスとの後方互換性および共存を維持しながらオーバージエアレイテンシを、例えば、１／２に低減するのを助け得る。
【００５１】
[0066]  さらに、本開示のいくつかの態様は、低減された送信時間間隔（ＴＴＩ）を可能にする高速アップリンクチャネルを使用してユーザ機器（ＵＥ）と基地局（ＢＳ）との間の低レイテンシ通信を可能にするのを助け得る。
【００５２】
[0067]  本明細書で提示する技法は、高速アップリンクデータおよび制御チャネルを使用して、レガシーアップリンク送信と比較してレイテンシを低減するのを助け得る。本開示では、シングルスロット（またはシングルスロットの一部分）の送信時間間隔（ＴＴＩ）を有し得るチャネルは、高速チャネルと呼ばれることがある。これらの高速チャネルは、非限定的な態様では、高速物理アップリンク制御チャネル（ＱＰＵＣＣＨ）、高速拡張物理アップリンク制御チャネル（ＱＥＰＵＣＣＨ）、および高速物理アップリンク共有チャネル（ＱＰＵＳＣＨ）を含み得る。さらに、本開示で説明する高速チャネルは、スロットごとの割振り、割当て、もしくは分割が行われるか、または行われ得、および／あるいは０．５ｍｓのＴＴＩを有する１つまたは複数のチャネルまたはリソース要素ブロックを有し得る。
【００５３】
[0068]  その上、本開示のいくつかの態様は、高速チャネル（例えば、ＱＰＵＣＣＨ、ＱＥＰＵＣＣＨ、ＱＰＵＳＣＨ）と一緒にレガシーチャネル（例えば、ＰＤＣＣＨ、ＥＰＤＣＣＨ、ＰＤＳＣＨ）のフレームスケジューリングをさらに実施する。本明細書で説明する方法および装置は、高速チャネルスケジューリングおよび／またはレガシースケジューリングを利用するように構成される適用例のために実施され得る。本明細書で説明する高速ＬＴＥスケジューリング方法は、レガシーの１ｍｓ  ＴＴＩではなく０．５ｍｓ  ＴＴＩを利用し得るので、これらの方法は通信レートを増加させ得、レガシーＬＴＥハイブリッド自動再送要求（ＨＡＲＱ）プロシージャに関連するラウンドトリップ時間（ＲＴＴ：round-trip time）を半分に（例えば、８ｍｓから４ｍｓ以下に）カットし得る。
【００５４】
[0069]  添付の図面に関して以下に記載する詳細な説明は、様々な構成を説明するものであり、本明細書で説明する概念が実施され得る構成のみを表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００５５】
[0070]  次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実施され得る。そのような要素がハードウェアとして実施されるか、ソフトウェアとして実施されるかは、特定の適用例および全体的なシステムに課される設計制約に依存する。
【００５６】
[0071]  例として、要素、または要素の任意の部分、または要素の任意の組合せは、１つまたは複数のプロセッサを含む「処理システム」を用いて実施され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成される他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００５７】
[0072]  従って、１つまたは複数の態様では、説明する機能は、ハードウェア、ソフトウェア、ファームウェア、またはそれらの任意の組合せで実施され得る。ソフトウェアで実施される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００５８】
[0073]  最初に図１を参照すると、図は、例えば、高速アップリンクチャネルを使用して低レイテンシ通信のための送信時間間隔（ＴＴＩ）を低減するために拡張ダウンリンク制御チャネルを使用してワイヤレス通信システムにおける通信を管理するために、本開示の態様が行われ得る、ワイヤレス通信システム１００の一例を示している。
【００５９】
[0074]  ワイヤレス通信システム１００は、複数のアクセスポイント（例えば、基地局、ｅＮＢ、またはＷＬＡＮアクセスポイント）１０５と、いくつかのユーザ機器（ＵＥ）１１５と、コアネットワーク１３０とを含む。アクセスポイント１０５は、いくつかのＲＥブロックのための１つのスロットのＴＴＩを含み得る高速ＬＴＥチャネルを使用して、いくつかのＵＥ１１５との制御情報およびユーザデータの通信を迅速化するように構成されるアップリンクスケジューリング構成要素６０２を含み得る。同様に、ＵＥ１１５のうちの１つまたは複数は、高速ＬＴＥチャネル構造を使用して送信および動作するように構成されるアップリンク送信機構成要素６６１を含み得る。アクセスポイント１０５のうちのいくつかは、様々な例ではコアネットワーク１３０またはいくつかのアクセスポイント１０５（例えば、基地局またはｅＮＢ）の一部であり得る、基地局コントローラ（図示せず）の制御下でＵＥ１１５と通信し得る。アクセスポイント１０５は、バックホールリンク１３２を通してコアネットワーク１３０と制御情報および／またはユーザデータを通信し得る。例では、アクセスポイント１０５は、ワイヤードまたはワイヤレス通信リンクであり得るバックホールリンク１３４を介して互いと直接または間接的にのいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信できる。例えば、各通信リンク１２５は、上記で説明した様々な無線技術に従って変調されたマルチキャリア信号であり得る。各被変調信号は、異なるキャリア上で送られ得、制御情報（例えば、基準信号、制御チャネルなど）、オーバーヘッド情報、データなどを搬送し得る。
【００６０】
[0075]  いくつかの例では、ワイヤレス通信システム１００の少なくとも一部分は、ＵＥ１１５のうちの１つまたは複数と、アクセスポイント１０５のうちの１つまたは複数とが、別の階層レイヤに対して低減されたレイテンシを有する階層レイヤ上の送信をサポートするように構成され得る、複数の階層レイヤ上で動作するように構成され得る。いくつかの例では、ハイブリッドＵＥ１１５−ａは、第１のサブフレームタイプを用いた第１のレイヤ送信をサポートする第１の階層レイヤと、第２のサブフレームタイプを用いた第２のレイヤ送信をサポートする第２の階層レイヤの両方の上で、アクセスポイント１０５−ａと通信し得る。例えば、アクセスポイント１０５−ａは、第１のサブフレームタイプのサブフレームと時分割複信された第２のサブフレームタイプのサブフレームを送信し得る。
【００６１】
[0076]  いくつかの例では、アクセスポイント１０５−ａは、例えば、ＨＡＲＱ方式を通して送信についてのＡＣＫ／ＮＡＣＫを与えることによって、送信の受信を確認応答し得る。第１の階層レイヤにおける送信についてのアクセスポイント１０５−ａからの確認応答は、いくつかの例では、送信が受信されたサブフレームに続くあらかじめ定義された数のサブフレームの後に与えられ得る。ＡＣＫ／ＮＡＣＫを送信し、再送信を受信するために必要とされる時間は、ラウンドトリップ時間（ＲＴＴ）と呼ばれることがあり、従って、第２のサブフレームタイプのサブフレームは、第１のサブフレームタイプのサブフレームのためのＲＴＴよりも短い第２のＲＴＴを有し得る。
【００６２】
[0077]  他の例では、第２のレイヤＵＥ１１５−ｂは、第２の階層レイヤのみの上でアクセスポイント１０５−ｂと通信し得る。従って、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。従って、第２のレイヤＵＥ１１５−ｂは、第１の階層レイヤ上で動作するＵＥ１１５と比較して低減されたレイテンシで動作し得る。
【００６３】
[0078]  アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（例えば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は同じまたは異なるアクセスネットワークまたは事業者展開に関連付けられ得る。同じまたは異なるタイプのアクセスポイント１０５のカバレージエリアを含み、同じまたは異なる無線技術を利用し、および／あるいは同じまたは異なるアクセスネットワークに属する、異なるアクセスポイント１０５のカバレージエリアは重複し得る。
【００６４】
[0079]  ＬＴＥ／ＬＴＥ−Ａネットワーク通信システムでは、発展型ノードＢ（ｅノードＢまたはｅＮＢ）という用語は、概して、アクセスポイント１０５を表すために使用され得る。ワイヤレス通信システム１００は、異なるタイプのアクセスポイントが様々な地理的領域にカバレージを与える、異種ＬＴＥ／ＬＴＥ−Ａ／ＵＬＬ  ＬＴＥネットワークであり得る。例えば、各アクセスポイント１０５は、通信カバレージをマクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは、概して、比較的大きい地理的エリア（例えば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、例えば、ネットワークプロバイダのサービスに加入しているＵＥ１１５による無制限アクセスを可能にし得、無制限アクセスに加えて、スモールセルとの関連を有するＵＥ１１５（例えば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（例えば、２つ、３つ、４つなどの）セルをサポートし得る。
【００６５】
[0080]  コアネットワーク１３０は、バックホール１３２（例えば、Ｓ１インターフェースなど）を介してｅＮＢまたは他のアクセスポイント１０５と通信し得る。アクセスポイント１０５はまた、例えば、バックホールリンク１３４（例えば、Ｘ２インターフェースなど）を介しておよび／またはバックホールリンク１３２を介して（例えば、コアネットワーク１３０を通して）直接または間接的に、互いと通信し得る。ワイヤレス通信システム１００は同期動作または非同期動作をサポートし得る。同期動作の場合、アクセスポイント１０５は同様のフレームタイミングを有し得、異なるアクセスポイント１０５からの送信は近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されることもされないこともある。本明細書で説明する技法は、同期動作または非同期動作のいずれかのために使用され得る。
【００６６】
[0081]  ＵＥ１１５はワイヤレス通信システム１００全体にわたって分散され、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００６７】
[0082]  ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、例えば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通して、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のための同じまたは異なるサービングセル上の２つまたはそれ以上のコンポーネントキャリアを利用し得る。ＣｏＭＰは、ＵＥ１１５のための全体的な送信品質を改善するために、ならびにネットワークおよびスペクトル利用を増加させる、いくつかのアクセスポイント１０５による送信および受信の協調のための技法を含み得る。
【００６８】
[0083]  上述のように、いくつかの例では、アクセスポイント１０５およびＵＥ１１５は、複数のキャリア上で送信するために、キャリアアグリゲーション（ＣＡ）を利用し得る。いくつかの例では、アクセスポイント１０５およびＵＥ１１５は、２つまたはそれ以上の別個のキャリアを使用して、第１のサブフレームタイプを各々が有する１つまたは複数のサブフレームを、フレーム内で第１の階層レイヤにおいてコンカレントに送信し得る。各キャリアは、例えば、２０ＭＨｚの帯域幅を有し得るが、他の帯域幅が利用され得る。ハイブリッドＵＥ１１５−ａおよび／または第２のレイヤＵＥ１１５−ｂは、いくつかの例では、別個のキャリアのうちの１つまたは複数の帯域幅よりも大きい帯域幅を有する単一のキャリアを利用して、第２の階層レイヤにおいて１つまたは複数のサブフレームを受信および／または送信し得る。例えば、４つの別個の２０ＭＨｚキャリアが第１の階層レイヤにおいてキャリアアグリゲーション方式で使用される場合、単一の８０ＭＨｚキャリアが、第２の階層レイヤにおいて使用され得る。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのためのスケーラブル帯域幅は、さらに拡張されたデータレートを与えるために、上記で説明したようなより短いＲＴＴを与えるために他の技法と組み合わせられ得る。
【００６９】
[0084]  ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。例えば、第１の階層レイヤはＦＤＤに従って動作し得、第２の階層レイヤはＴＤＤに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００などのシステムにおける階層レイヤの実施に関する追加の詳細、ならびにそのようなシステムにおける通信に関係する他の特徴および機能が、以下の図を参照しながら以下で与えられる。
【００７０】
[0085]  図２は、例えば、高速アップリンクチャネルを使用して低レイテンシ通信のための送信時間間隔（ＴＴＩ）を低減するために拡張ダウンリンク制御チャネルを使用してワイヤレス通信システムにおける通信を管理するために、本開示の態様が行われ得る、ＬＴＥネットワークアーキテクチャにおけるアクセスネットワーク２００の一例を示す図である。
【００７１】
[0086]  この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中の全てのＵＥ２０６にコアネットワーク１３０へのアクセスポイントを与えるように構成される。一態様では、ｅＮＢ２０４は、高速ＬＴＥデータ構造、例えば、限定はしないが、いくつかのＲＥブロックのための１つのスロットのＴＴＩを含み得る、図９のダウンリンクサブフレーム構造９００において与えられるデータ構造を使用して、いくつかのＵＥ１１５との制御情報およびユーザデータの通信を迅速化するように構成されるアップリンクスケジューリング構成要素６０２を含み得る。同様に、ＵＥ２０６のうちの１つまたは複数は、データ構造を使用して、送信、復号、および動作するように構成されるアップリンク送信機構成要素６６１を含み得る。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担当する。
【００７２】
[0087]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００７３】
[0088]  ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００７４】
[0089]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００７５】
[0090]  以下の詳細な説明では、ＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００７６】
[0091]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソース要素ブロックを含む。リソースグリッドは複数のリソース要素に分割される。ＬＴＥでは、リソース要素ブロックは、周波数領域中に１２個の連続するサブキャリアを含んでおり、各ＯＦＤＭシンボル中のノーマルサイクリックプレフィックスについて、時間領域中に７つの連続するＯＦＤＭシンボルを含んでおり、すなわち８４個のリソース要素を含んでいることがある。拡張サイクリックプレフィックスについて、リソース要素ブロックは、時間領域中に６つの連続するＯＦＤＭシンボルを含んでいることがあり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応するＰＤＳＣＨがマッピングされるリソース要素ブロック上でのみ送信される。各リソース要素によって搬送されるビット数は変調方式に依存する。従って、ＵＥが受信するリソース要素ブロックが多いほど、また変調方式が高いほど、ＵＥのデータレートは高くなる。
【００７７】
[0092]  図４は、ＬＴＥにおけるＵＬフレーム構造の一例を示す図４００である。ＵＬのための利用可能なリソース要素ブロックは、データセクションと制御セクションとに区分され得る。制御セクションは、システム帯域幅の２つのエッジにおいて形成され得、構成可能なサイズを有し得る。制御セクション中のリソース要素ブロックは、制御情報の送信のためにＵＥに割り当てられ得る。データセクションは、制御セクション中に含まれない全てのリソース要素ブロックを含み得る。ＵＬフレーム構造は、単一のＵＥがデータセクション中の連続サブキャリアの全てを割り当てられることを可能にし得る、連続サブキャリアを含むデータセクションを生じる。
【００７８】
[0093]  ＵＥは、ｅＮＢに制御情報を送信するために、制御セクション中のリソース要素ブロック４１０ａ、４１０ｂを割り当てられ得る。ＵＥは、ｅＮＢにデータを送信するために、データセクション中のリソース要素ブロック４２０ａ、４２０ｂをも割り当てられ得る。ＵＥは、制御セクション中の割り当てられたリソース要素ブロック上の物理ＵＬ制御チャネル（ＰＵＣＣＨ）中で制御情報を送信し得る。ＵＥは、データセクション中の割り当てられたリソース要素ブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００７９】
[0094]  初期システムアクセスを行い、物理ランダムアクセスチャネル（ＰＲＡＣＨ：physical random access channel）４３０中でＵＬ同期を達成するために、リソース要素ブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソース要素ブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みのみを行うことができる。
【００８０】
[0095]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実施する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００８１】
[0096]  ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含めてＬ２レイヤ５０８の上にいくつかの上位レイヤを有し得る。
【００８２】
[0097]  ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（例えば、リソース要素ブロック）を割り振ることを担当する。ＭＡＣサブレイヤ５１０はまた、ＨＡＲＱ動作を担当する。
【００８３】
[0098]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００８４】
[0099]  図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実施する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００８５】
[0100]  送信（ＴＸ）プロセッサ６１６は、Ｌ１レイヤ（すなわち、物理レイヤ）のための様々な信号処理機能を実施する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（例えば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。さらに、ｅＮＢ６１０は、本開示のいくつかの態様によれば、いくつかのＵＥ１１５との制御情報およびユーザデータの通信を迅速化するように構成されるアップリンクスケジューリング構成要素６０２を含み得る。
【００８６】
[0101]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実施する。ＲＸプロセッサ６５６は、ＵＥ６５０に宛てられた任意の空間ストリームを復元するために、情報に対して空間処理を行う。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００８７】
[0102]  コントローラ／プロセッサ６５９はＬ２レイヤを実施する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。さらに、ＵＥ６５０は、本開示のデータ構造を使用して、受信、復号、および動作するように構成されるアップリンク送信機構成要素６６１を含み得る。
【００８８】
[0103]  ＵＬでは、データソース６６７は、コントローラ／プロセッサ６５９に上位レイヤパケットを与えるために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実施する。コントローラ／プロセッサ６５９はまた、ＨＡＲＱ動作と、紛失パケットの再送信と、ｅＮＢ６１０へのシグナリングとを担当する。
【００８９】
[0104]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００９０】
[0105]  ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実施し得る。
【００９１】
[0106]  コントローラ／プロセッサ６７５はＬ２レイヤを実施する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００９２】
例示的な拡張ダウンリンク制御チャネル設計
[0107]  本開示のいくつかの態様は、マシンタイプ通信（ＭＴＣ）および／または低レイテンシ（ＬＬ）通信を管理するために使用され得る拡張ダウンリンク制御チャネルに関する。ＬＬの場合、そのような設計は、レガシーデバイスとの後方互換性および共存を維持しながらオーバージエアレイテンシを、例えば、１／２に低減するのを助け得る。
【００９３】
[0108]  ユーザ機器（ＵＥ）は、アクセス端末（ＡＴ）、加入者局、加入者ユニット、移動局、リモート局、リモート端末、リモートデバイス、ワイヤレスデバイス、デバイス、ユーザ端末、ユーザエージェント、ユーザデバイス、ユーザ局、マシンタイプ通信（ＭＴＣ）デバイス、または何らかの他の用語を備えるか、それらのいずれかとして実施されるか、あるいはそれらのいずれかとして知られていることがある。ＵＥの例としては、セルラーフォン（例えば、スマートフォン）、タブレット、ラップトップ、ネットブック、スマートブック、ウルトラブック、ナビゲーションデバイス、カメラデバイス、ゲームデバイスなどがある。ＭＴＣデバイスの例としては、様々なワイヤレスセンサー、モニタ、検出器、メーター、あるいは単一のバッテリー充電で（場合によっては無人で）何年も動作することが予想され得る、他のタイプデータ監視、生成、または中継デバイスがある。
【００９４】
[0109]  図７に、本開示の態様による、ワイヤレス通信のための例示的な動作７００を示す。動作７００は、例えば、ユーザ機器、例えば、図１からのユーザ機器１１５、図２からのユーザ機器２０６、および／または図６からのユーザ機器６５０によって行われ得る。
【００９５】
[0110]  動作７００は、７０２において、ＵＥにおいて、２つのスロットを備えるダウンリンクサブフレーム中で、基地局（ＢＳ）から少なくとも１つのタイプの高度物理ダウンリンク制御チャネル（ａＰＤＣＣＨ）を受信することによって開始する。いくつかの態様によれば、ａＰＤＣＣＨは、より新しいタイプの物理ダウンリンク制御チャネル機構、例えば、高速物理ダウンリンク制御チャネル（ＱＰＤＣＣＨ）、高速拡張物理ダウンリンク制御チャネル（ＱＥＰＤＣＣＨ）などを含み得る。７０４において、ユーザ機器は、セル固有基準信号（ＣＲＳ）に基づいてａＰＤＣＣＨを復調する。
【００９６】
[0111]  図８に、本開示の態様による、ワイヤレス通信のための例示的な動作８００を示す。動作８００は、例えば、基地局、例えば、図１からのアクセスポイント１０５、図２からのｅＮＢ２０４、および／または図６からのｅＮＢ６１０によって行われ得る。
【００９７】
[0112]  動作８００は、８０２において、２つのスロットを備えるダウンリンクサブフレーム中で、少なくとも１つのタイプの高度物理ダウンリンク制御チャネル（ａＰＤＣＣＨ）をユーザ機器に送信することによって開始する。８０４において、基地局は、ＵＥがａＰＤＣＣＨを復調するために使用すべきセル固有基準信号（ＣＲＳ）をダウンリンクサブフレーム中で送信する。
【００９８】
[0113]  旧来のロングタームエボリューション（ＬＴＥ）設計の１つの焦点は、スペクトル効率の改善、ユビキタスカバレージ、拡張サービス品質（ＱｏＳ）サポートなどに対するものである。この焦点は、一般に、最先端のスマートフォン、タブレットなどのハイエンドデバイスを生じる。しかしながら、低コスト低レートデバイスもサポートされる必要があり得る。例えば、いくつかのマーケット予想は、低コストデバイスの数が今日のセルフォンを大きく超え得ることを示している。ワイヤレスシステムでは、例えば、最大帯域幅の低減、単一受信無線周波数（ＲＦ）チェーン、ピークレートの低減、送信電力の低減、半二重動作など、いくつかの特徴が検討されてきた。
【００９９】
[0114]  多くの適用例では、ＭＴＣデバイスのためのカバレージ拡張が望ましいことがある。低コスト要件に加えて、低いカバレージシナリオにおける（例えば、地階における）デバイスをカバーするために、１５〜２０ｄＢカバレージ拡張が必要とされ得る。これらの要件を満たすために、１５〜２０ｄＢリンクバジェット利得を達成するための大きいＴＴＩバンドリングが提案される。ＤＬ上では、ＴＴＩバンドリングは、物理ブロードキャストチャネル（ＰＢＣＨ）、ＰＤＣＣＨ／ＥＰＤＣＣＨ、物理ハイブリッドＡＲＱインジケータチャネル（ＰＨＩＣＨ）、および物理ダウンリンク共有チャネル（ＰＤＳＣＨ）のために提案された。ＵＬ上では、ＴＴＩバンドリングは、ランダムアクセスチャネル（ＲＡＣＨ）、物理アップリンク制御チャネル（ＰＵＣＣＨ）、および物理アップリンク共有チャネル（ＰＵＳＣＨ）のために提案された。
【０１００】
[0115]  ＭＴＣの場合、６つのリソースブロック（ＲＢ）のみがＲＦおよびベースバンド処理において使用されるＬＴＥ  Ｒｅｌ．１３のための狭帯域動作が考慮される。この要件がある場合、現在のＰＤＣＣＨ設計は、それが帯域全体にわたるので、使用されないことがある。ＥＰＤＣＣＨは使用され得るが、それは極めて非効率的になる。低レイテンシＬＴＥ設計の場合、１スロットベースＱＥＰＤＣＣＨが考慮される。同様に、現在の復調基準信号（ＤＭＲＳ）ベース設計は効率的でない。
【０１０１】
[0116]  複雑さ低減のために、６つのＲＢの狭帯域動作が、ＭＴＣ通信のために提案される。ＭＴＣのために考慮される２つの制御チャネル構造があるが、それらの手法の両方に伴う問題がある。第１の手法では、ＰＤＣＣＨ様の制御チャネルが、時間領域における時分割多重（ＴＤＭ）制御、およびセル固有基準信号（ＣＲＳ）ベース復調とともに採用され得る。ＰＤＣＣＨが帯域幅全体にわたるので、新しい設計がＭＴＣのために考慮される必要がある。第２の手法では、ＥＰＤＣＣＨ様の制御チャネルが、周波数分割多重（ＦＤＭ）制御およびＤＭＲＳベース復調とともに利用され得る。しかしながら、ＤＭＲＳとＣＲＳの両方が存在するので、オーバーヘッドは有意であり得る。
【０１０２】
[0117]  本開示の態様によれば、低レイテンシ（ＬＬ）ＰＨＹ設計目標は、最小の仕様および実施影響でオーバージエアＬＴＥレイテンシを１／２に、例えば、８ｍｓ  ＲＴＴから４ｍｓ  ＲＴＴに低減することであり得る。さらに、レガシーＬＴＥデバイス（すなわち、非ＭＴＣデバイス）との後方互換性および共存が維持され得る。
【０１０３】
[0118]  本開示の態様によれば、重要な技術的解決策は、０．５ｍｓ  ＴＴＩをもつ拡張データ通信に基づき得、ここにおいて、ＬＬチャネルはＥＰＤＣＣＨ／ＰＤＳＣＨ／ＰＵＣＣＨ／ＰＵＳＣＨスロット構造に基づき得る。同様に、制御チャネル構造のための２つのオプションがある。
【０１０４】
[0119]  一態様では、ＬＬ  ＤＬ制御チャネル設計は、ＰＤＣＣＨベース高速ＤＬ制御チャネル（ＱＰＤＣＣＨ）に基づき得る。レガシー制御領域は、データをスケジュールするためのスロット０中で使用され得る。ＱＰＤＣＣＨはＰＤＣＣＨ制御チャネル要素（ＣＣＥ：Control Channel Element）構造を再利用し、他のレガシー制御チャネルと十分に多重化され得る。新しいダウンリンク制御情報（ＤＣＩ）が、スロットベース対サブフレームベース割当てを示すために必要とされ得る。この手法は、例えば、スロットベースデータ通信の場合、４ｍｓのＨＡＲＱ  ＲＴＴを可能にし得る。ＤＬでは、ＱＰＤＣＣＨはサブフレームｎ中でスロット０  ＱＰＤＳＣＨをスケジュールし得、ＵＬでは、ＱＰＤＣＣＨはサブフレームｎ＋２中でスロット０  ＱＰＵＳＣＨをスケジュールし得る。
【０１０５】
[0120]  別の態様では、ＬＬ  ＤＬ制御チャネル設計は、ＥＰＤＣＣＨベース高速ＤＬ制御チャネル（ＱＥＰＤＣＣＨ）に基づき得る。この場合、現在のＥＰＤＣＣＨは、単に２つのスロットにスプリットされ得る。現在のＥＰＤＣＣＨと同じ拡張制御チャネル要素（ＥＣＣＥ）リソースが各スロット中に存在し得る。レガシーＥＰＤＣＣＨとのより単純な多重化が達成され、ならびに異なるＬＬユーザにわたり得る。アグリゲーションレベルは、同様のカバレージを維持するためにほぼ２倍に増加され得、これは、短い持続時間をもつスペシャルサブフレームのための現在のＥＰＤＣＣＨ設計と同様であり得る。この手法は、分散フォーマットと局所フォーマットの両方をサポートし、ＤＬ許可とＵＬ許可の両方をサポートし得る。
【０１０６】
[0121]  図９は、本開示の態様による、ワイヤレス通信システムにおける迅速化されたＵＥ通信を管理するためのダウンリンクサブフレーム構造９００の一例をである示す。本開示の一態様では、ダウンリンクサブフレーム構造９００は、スロットベースダウンリンクチャネルＰＤＣＣＨを備え得る。一態様では、スロットベースＰＤＣＣＨは、時間領域中で（水平方向に）２つのスロット（例えば、スロット０およびスロット１）に分割され得る。さらに、スロットベースＰＤＣＣＨのいくつかのリソース要素ブロックの持続時間（水平軸）は、１つのスロット（０．５ｍｓ  ＴＴＩ）であり得る。従って、１つのスロット（０．５ｍｓ）のＴＴＩを有する制御およびデータチャネルリソース要素ブロックを組み込むことによって、図９に示されているダウンリンクチャネルは、例えば、１つのサブフレーム（１ｍｓ）のダウンリンクリソース要素ブロックＴＴＩを有し得る、レガシーＬＴＥのリソース要素ブロックに対して、ダウンリンク送信のためのより低いレイテンシを可能にする。
【０１０７】
[0122]  図９に示されているように、スロットベースダウンリンクチャネルは、シンボル０のあらゆるリソース要素を含む、レガシーデバイスをスケジュールするためのレガシー制御領域９０２を備え得る。図９に示されているスロットベースダウンリンクチャネルは、スロット０および１の各々（例えば、シンボル１から１３まで）にわたるｅＰＤＣＣＨ９０４をさらに備え得る。その上、図９からのスロットベースダウンリンクチャネルは、スロット０（例えば、シンボル１から６まで）中のＤＭＲＳに基づくＱＥＰＤＣＣＨ１  ９０６と、サブフレーム９００を受信するＵＥのためのアップリンクリソース許可をもつＱＥＰＤＣＣＨ３／ＱＥＰＤＣＣＨ４  ９０８とを備え得る。図示のように、ＱＥＰＤＣＣＨ３／ＱＥＰＤＣＣＨ４  ９０８は、スロット１のシンボル７〜１３にわたり得る。
【０１０８】
[0123]  図９に示されているように、スロットベースダウンリンクチャネルは、スロット０（例えば、シンボル１から６まで）中でＱＥＰＤＣＣＨ１  ９０６によって割り当てられたダウンリンクデータチャネル許可ＱＰＤＳＣＨ１  ９１０と、スロット１（例えば、シンボル７から１３まで）中でＱＥＰＤＣＣＨ３  ９０８によって割り当てられたダウンリンクデータチャネル許可ＱＰＤＳＣＨ９１２とを備え得る。さらに、図９に示されているように、スロットベースダウンリンクチャネルは、制御領域によって割り当てられた（例えば、ＰＤＣＣＨまたはＥＰＤＣＣＨによって割り当てられた）２スロットＴＴＩを有する、１つまたは複数のレガシーダウンリンクチャネル（例えば、通常ＰＤＳＣＨ９１４）を備え得る。
【０１０９】
[0124]  いくつかの場合には、ＬＬデバイスについて対処すべきいくつかの問題があり得る。例えば、スロットベースＱＥＰＤＣＣＨ設計の場合、スロット中のＤＭＲＳは、復調にとって十分でないことがある。しかしながら、ＤＭＲＳ密度を増加させることは、利用可能なリソースがすでに半分に低減されているので、大きいオーバーヘッドにつながり得る。
【０１１０】
[0125]  さらに、ＭＴＣデバイスについての解決されるべきいくつかの問題もある。例えば、ＭＴＣデバイスが、物理ブロードキャスト制御チャネル（ＰＢＣＨ）を復号するためにＣＲＳに依拠し得、従ってＣＲＳ処理がサポートされる必要があり得る。ＥＰＤＣＣＨ処理の場合、ＤＭＲＳだけに依拠することは、特にカバレージ限定ユーザにとって十分でないことがある。
【０１１１】
[0126]  本開示のいくつかの態様は、０．５ｍｓ  ＴＴＩの場合、ＭＴＣと低レイテンシ（ＬＬ）の両方のための拡張ＤＬ制御チャネル構造を提示する。拡張制御チャネルは、ＥＰＤＣＣＨと同様のおよびＦＤＭ構造を有し得、復調のために、ＤＲＭＳの代わりに、ＣＲＳを使用し得る。従って、ＣＲＳが復調のために使用されるので、ＵＥは、チャネル推定を改善するためにより長い平均化を行える。さらに、ＤＲＭＳが使用されないので、データトーンを送信するために、より多くのリソースが使用され得る。
【０１１２】
[0127]  本開示の態様は、ＭＴＣのために、マシンタイプ通信ＰＤＣＣＨ（例えば、ＭＰＤＣＣＨ）と呼ばれる新しい制御チャネルを提示する。この制御チャネルは、例えば、レガシー制御領域を除いて、サブフレーム全体にわたり得る。開始シンボルは、システム情報（ＳＩ）、無線リソース制御（ＲＲＣ）を通して動的にシグナリングされるか、またはワイヤレス通信規格によって固定され得る。上記で説明したように、ＤＭＲＳは、この新しいＤＬ制御チャネル設計では送信されないことがある。従って、拡張制御チャネル要素（ＥＣＣＥ：enhanced control channel element）はまた、ＥＰＤＣＣＨ  ＤＭＲＳのために定義されたリソースを占有し得、これは、オーバーヘッドを低減し、データのためのコーディングを改善し得る。本開示の一態様では、復調は、ＣＲＳのみに依拠し得る。これは、上述のように、チャネル推定拡張のためにより長い平均化を与え得る。
【０１１３】
[0128]  この新しい制御チャネル設計の場合、ＭＴＣは、ＰＢＣＨとＭＰＤＣＣＨとのための復調のためにＣＲＳに依拠し得る。ＰＤＳＣＨの場合、ＣＲＳベース復調のみのサポートは、さらに制限され得る。従って、ＭＴＣ  ＵＥは、ＤＭＲＳベース復調を行う必要がないことがあり、これは複雑さの節減を与える。
【０１１４】
[0129]  図１０に、本開示の態様による、マシンタイプ通信（ＭＴＣ）を管理するための拡張ダウンリンクサブフレーム構造１０００の一例を示す。ダウンリンクサブフレーム構造１０００は、時間領域中で２つのスロット（例えば、スロット０およびスロット１）に分割され、各スロットは、例えば、０．５ｍｓ持続し得る。図１０に示されているように、ダウンリンクサブフレーム構造１０００は、スロット０のシンボルのあらゆるリソース要素を含むスケジューリングのためのレガシー制御領域１００２を備え得、それは、スロット０およびスロット１の各々にわたるｅＰＤＣＣＨ１００４をさらに備え得る。一態様では、ｅＰＤＣＣＨ／ＱＰＤＣＣＨ／ＱＥＰＤＣＣＨは、復調のためにＣＲＳとＤＭＲＳの両方を利用し得る。
【０１１５】
[0130]  図１０に示されているように、ダウンリンクサブフレーム構造１０００は、スロット０とスロット１の両方にわたり得る、復調のためのＣＲＲをもつマシンタイプ通信物理ダウンリンク制御チャネル（ＭＰＤＣＣＨ：Machine type communication Physical Downlink Control Channel）１００６を備え得る。図１０に示されているように、ダウンリンクサブフレーム構造１０００は、同じくスロット０とスロット１の両方にわたり得るＭＴＣデータトラフィック１００８をさらに備え得る。さらに、図１０に示されているように、ダウンリンクサブフレーム構造１０００は、制御領域によって割り当てられた（例えば、ＰＤＣＣＨまたはＥＰＤＣＣＨによって割り当てられた）２スロットＴＴＩを有する、１つまたは複数のレガシーダウンリンクチャネル（例えば、通常ＰＤＳＣＨ１０１０）を備え得る。
【０１１６】
[0131]  本開示の態様は、ＬＬのための新しい制御チャネル（例えば、ＱＥＰＤＣＣＨ）をも提示する。いくつかの態様によれば、ＬＬの場合、ＱＥＰＤＣＣＨは、スロット０中のレガシー制御領域を除いて（サブフレーム全体とは対照的に）シングルスロットにわたり得る。
【０１１７】
[0132]  図１１に、本開示の態様による、低レイテンシ（ＬＬ）通信のためのダウンリンクサブフレーム構造１１００の一例を示す。例えば、ダウンリンクサブフレーム構造１１００は、時間領域中で２つのスロット（例えば、スロット０およびスロット１）に分割され、各スロットは、例えば、０．５ｍｓ持続し得る。図１１に示されているように、ダウンリンクサブフレーム構造１１００は、レガシーＵＥをスケジュールするためのレガシー制御領域１１０２を備え得、スロット０のシンボル０のあらゆるリソース要素を含み得る。さらに、図示のように、ＤＬサブフレーム構造は、スロット０およびスロット１の各々にわたるｅＰＤＣＣＨ１１０４をさらに備え得る。
【０１１８】
[0133]  図１１に示されているように、および本開示の態様によれば、ダウンリンクサブフレーム構造１１００は、スロット０中の復調のためのＣＲＳをもつＱＥＰＤＣＣＨ１  １１０６と、サブフレーム１１００を受信するユーザ機器のためのスロット１中のアップリンクリソース許可をもつＱＥＰＤＣＣＨ３／ＱＥＰＤＣＣＨ４  １１０８とを備え得る。一態様では、ＱＥＰＤＣＣＨ１  １１０６、ＱＥＰＤＣＣＨ３  １１０８、またはＱＥＰＤＣＣＨ４  １１０８のうちの少なくとも１つは、復調のためにＣＲＳとＤＭＲＳの両方を利用し得る。
【０１１９】
[0134]  図１１に示されているように、ダウンリンクサブフレーム構造１１００は、スロット０中でＱＥＰＤＣＣＨ１  １１０６によって割り当てられたダウンリンクデータチャネル許可ＱＰＤＳＣＨ１  １１１０と、スロット１中でＱＥＰＤＣＣＨ３  １１０８によって割り当てられたダウンリンクデータチャネル許可ＱＰＤＳＣＨ１１１２とをさらに備え得る。さらに、図１１に示されているように、ダウンリンクサブフレーム構造１１００は、制御領域によって割り当てられた（例えば、ＰＤＣＣＨまたはＥＰＤＣＣＨによって割り当てられた）２スロットＴＴＩを有する、１つまたは複数のレガシーダウンリンクチャネル（例えば、通常ＰＤＳＣＨ１１１４）を備え得る。
【０１２０】
[0135]  いくつかの態様によれば、ＱＥＰＤＣＣＨ（例えば、ＱＥＰＤＣＣＨ１  １１０６）のための開始シンボルは動的にシグナリングされ、ワイヤレス通信規格によって、あるいはシステム情報（ＳＩ）および／または無線リソース制御（ＲＲＣ）を使用することによって固定され得る。上記で説明したように、ＤＲＭＳの代わりにＣＲＳが送信され、復調のために使用され得る。従って、ＥＣＣＥはまた、ＥＰＤＣＣＨ  ＤＭＲＳのために定義されたリソースを占有し得る。いくつかの態様によれば、ＤＭＲＳを送信しないことを除いて、ＱＥＰＤＣＣＨの設計は、例えば、ＥＣＣＥ、アグリゲーションレベルなどに関して、ＥＰＤＣＣＨと同じものに従い得る。一態様では、復調はＣＲＳのみに依拠し得、これは、チャネル推定拡張のためにより長い平均化を与え得る。さらに、ＬＬデバイスは、重要な低レイテンシ通信のためのチャネル推定を改善するためにより多くのフレキシビリティを有し、重要な低レイテンシ通信は、データ通信のためのレイテンシが少なくとも同じままであるので、デバイス電力消費に対する影響のみを有し得る。
【０１２１】
例示的な低レイテンシアップリンクチャネル設計
[0136]  上述のように、本開示の態様は、低減された送信時間間隔（ＴＴＩ）を可能にする高速アップリンクチャネルを使用してユーザ機器（ＵＥ）と基地局（ＢＳ）との間の低レイテンシ通信を可能にするのを助け得る。
【０１２２】
[0137]  例えば、本開示のいくつかの態様は、レガシーＬＴＥデバイス（例えば、本明細書で説明する低レイテンシ通信をサポートしないデバイス）との後方互換性および共存を維持しながら、ＬＴＥシステムにおけるオーバージエアレイテンシを１／２に（例えば、８ｍｓラウンドトリップ時間（ＲＴＴ）から４ｍｓに）低減するのを助け得る技法を提供する。
【０１２３】
[0138]  いくつかの態様によれば、低レイテンシ通信は、レガシー送信時間間隔（ＴＴＩ）（すなわち、レガシーデバイスのために使用されるＴＴＩ）に対して、低減されたＴＴＩを使用することによって可能にされ得る。例えば、いくつかの場合には、０．５ｍｓ  ＴＴＩは、物理ダウンリンク制御チャネル（ＰＤＣＣＨ）、拡張ＰＤＣＣＨ（ｅＰＤＣＣＨ）、ＰＤＳＣＨ、ＰＵＣＣＨ、および／またはＰＵＳＣＨスロット構造に基づいて低レイテンシ（ＬＬ）チャネルのために使用され得る。すなわち、０．５ｍｓ  ＴＴＩの場合、ＬＬチャネルは、（それぞれ０．５ｍｓの２つのタイムスロットを含むＬＴＥサブフレームを仮定すると）サブフレームではなくタイムスロットに基づき得る。いくつかの場合には、低レイテンシ通信は、異なる手法を使用して、例えば、（従来のＬＴＥ）１ｍｓ  ＴＴＩを用いて、ただし４ｓではなく２ｍｓ  ＨＡＲＱターンアラウンドタイムを可能にするための強化された処理要件およびタイミングアドバンス（ＴＡ）制限を用いて達成され得る。
【０１２４】
[0139]  いくつかの場合には、他のユーザとの後方互換性および統合をもつ現在のＬＴＥシステム内で０．５ｍｓ  ＴＴＩバンドリングをサポートするために、低減されたＴＴＩをサポートすることが可能なデバイスは、レガシー１ｍｓサブフレーム構造に従っていくつかのプロシージャ（例えば、セル探索、ＳＩＢ読取り、ＲＡＣＨプロシージャ、ページング、およびアイドルモードプロシージャ）を行うように要求され得る。
【０１２５】
[0140]  いくつかの態様によれば、ＬＬデータ通信に従って動作する（例えば、０．５ｍｓサブフレーム構造を使用して動作する）ＵＥは、接続セットアップ中またはその後にサービングｅＮＢにＬＬ能力を示し得る。応答して、ｅＮＢは、ＤＬ／ＵＬチャネルのための構成情報（例えば、チャネルロケーション、開始ＣＣＥなどのＬＬパラメータ）を与え得る。いくつかの場合には、ＬＬパラメータは、ＬＬチャネル（例えば、高速物理アップリンク制御チャネル、ＱＰＵＣＣＨ、および高速物理アップリンク共有チャネル、ＱＰＵＳＣＨ）のための時間（例えば、時間インスタンス）および／または周波数リソースを含み得る。さらに、ＬＬパラメータはまた、ＤＬデータチャネル（例えば、高速拡張物理ダウンリンク共有チャネル、ＱＥＰＤＳＣＨ）と、ＤＬ制御チャネル（例えば、高速拡張物理ダウンリンク制御チャネル、ＱＥＰＤＣＣＨ）とのための開始シンボルを示し得る。ＬＬパラメータはまた、以下でより詳細に説明するように、通常（すなわち、レガシー）ＰＵＣＣＨ  ＡＣＫとは異なり得るＱＰＵＣＣＨ肯定応答（ＡＣＫ）のために割り振られた新しいリソースを示し得る。パラメータはまた、レガシー通信のために使用されるマッピングとは異なるリソースのマッピングを示す、例えば、レガシーマッピングとは異なるリソースの使用を示すためのＬＬ通信のための新しいマッピングルールを与え得る）。
【０１２６】
[0141]  いくつかの態様によれば、ＬＬパラメータは、ｅＮＢによって、（例えば、システム情報ブロック、ＳＩＢ中で）ブロードキャストされ、（１つまたは複数の）無線リソース制御（ＲＲＣ）メッセージを通して与えられ、および／または動的シグナリングを使用してシグナリングされ得る。
【０１２７】
[0142]  図１２に、本開示の態様による、低レイテンシワイヤレス通信のための例示的な動作１２００を示す。動作１２００は、例えば、（例えば、レガシーユーザ機器（ＵＥ）と比較して）低減されたＴＴＩをサポートすることが可能なＵＥによって行われ得る。例えば、動作１２００は、図１からのユーザ機器１１５、図２からのユーザ機器２０６、および／または図６からのユーザ機器６５０によって行われ得る。
【０１２８】
[0143]  動作１２００は、１２０２において、基地局に、ＵＥが１つまたは複数の高速アップリンクチャネルを通して低レイテンシ通信をサポートすることが可能であるという指示を与えることによって開始し、ここにおいて、１つまたは複数の高速アップリンクチャネルは、レガシー送信時間間隔（ＴＴＩ）よりもより短い持続時間を有する、低レイテンシ通信のための低減されたＴＴＩを可能にする。１２０４において、ＵＥは、低減されたＴＴＩに従って、１つまたは複数の高速アップリンクチャネルを使用して、基地局との低レイテンシ通信を行う。
【０１２９】
[0144]  図１３に、本開示の態様による、低レイテンシワイヤレス通信のための例示的な動作１３００を示す。動作１３００は、例えば、低減されたＴＴＩをサポートすることが可能な基地局によって行われ得る。例えば、動作１３００は、図１からのアクセスポイント１０５、図２からのｅＮＢ２０４、および／または図６からのｅＮＢ６１０によって行われ得る。
【０１３０】
[0145]  動作１３００は、１３０２において、ユーザ機器（ＵＥ）から、ＵＥが１つまたは複数の高速アップリンクチャネルを通して低レイテンシ通信をサポートすることが可能であるという指示を受信することによって開始し、ここにおいて、１つまたは複数の高速アップリンクチャネルは、レガシー送信時間間隔（ＴＴＩ）よりもより短い持続時間を有する、低レイテンシ通信のための低減されたＴＴＩを可能にする。１３０４において、基地局は、低減されたＴＴＩに従って送信された１つまたは複数の高速アップリンクチャネルを使用して、ＵＥとの低レイテンシ通信を行う。
【０１３１】
[0146]  図１４に、（例えば、上記で説明した動作１２００および／または１３００に従って）低レイテンシ通信を行うためにＵＥおよび／またはｅＮＢによって使用され得る、低減されたＴＴＩを使用するアップリンクサブフレーム１４００のための例示的なアップリンク制御チャネル設計を示す。
【０１３２】
[0147]  例えば、図１４に示されているように、ＬＬ通信と後方互換性とをサポートするために、高速物理アップリンク制御チャネル（ＱＰＵＣＣＨ）および／または高速物理アップリンク共有チャネル（ＱＰＵＳＣＨ）のための制御およびデータチャネルリソース要素ブロックは、アップリンクサブフレーム１４００の各スロット中に配置され、従って、ＴＴＩを１つのサブフレーム（例えば、１ｍｓ）にではなく、１つのタイムスロット（例えば、０．５ｍｓ）に低減し得る。例えば、図１４に示されているように、スロット０は、１４０２におけるＱＰＵＳＣＨ１と、１４０４におけるＱＰＵＳＣＨ２と、１４０６におけるＱＰＵＣＣＨとを備える。さらに、スロット１は、１４０８におけるＱＰＵＣＣＨと、１４１０におけるＱＰＵＳＣＨ３とを備える。
【０１３３】
[0148]  いくつかの態様によれば、（例えば、１４０６および／または１４０８における）０．５ｍｓＴＴＩ  ＱＰＵＣＣＨは、レガシーＰＵＣＣＨフォーマット（例えば、フォーマット２／２ａ／２ｂ／１／１ａ／１ｂ／３のうちの１つ）に基づき得る。いくつかの場合には、アップリンクサブフレーム１４００の各スロットは、異なるフォーマットを使用し得る。例えば、スロット０は全長フォーマットを使用し得るが、スロット１は、（例えば、ＳＲＳ領域１４１２により）短縮フォーマットを使用し得る。いくつかの場合には、フォーマット２ａおよび２ｂが、ＡＣＫビットをシグナリングするための２つのスロット中のパイロット間の差に依拠するので、フォーマット２ａおよび２ｂを使用するスロットベースＰＵＣＣＨはサポートされないことがある。
【０１３４】
[0149]  さらに、ＱＰＵＣＣＨは、レガシーＰＵＣＣＨと同じ周波数ロケーションを使用し得る。異なるスロット中のＱＰＵＣＣＨは、異なるＲＢを使用し得、ＬＬ  ＵＥは、スロット０またはスロット１のいずれかを使用し得る（ただし、いくつかの場合には、その両方を使用しないことがある）。いくつかの場合には、ＬＬ通信をサポートするＵＥの観点からホッピングがないことがある。また、グループホッピングおよびシーケンスホッピングが、レガシーＰＵＣＣＨと同様の方法でＱＰＵＣＣＨのためにサポートされ得るが、２つではなく１つのスロットのみを使用し得る。いくつかの態様によれば、グループ／シーケンスホッピングがＬＬ通信のために使用されている場合、ＬＬ  ＵＥは、レガシーＵＥと同じグループ／シーケンス決定に従い得る。
【０１３５】
[0150]  上記で説明したように、ＱＰＵＣＣＨはレガシーＰＵＣＣＨフォーマット／構造に基づき得る。例えば、フォーマット１、１ａ、１ｂ、および２の場合、ＱＰＵＣＣＨは、レガシーＰＵＣＣＨと同じ構造を使用し得るが、シングルスロット持続時間のみにわたり得る。さらに、異なるフォーマットの場合、ＱＰＵＣＣＨを実施するための異なるオプションがあり得る。例えば、フォーマット３の場合、ＱＰＵＣＣＨは、（１）レガシーＰＵＣＣＨと同じ構造に基づき得るが、シングルスロット構造のみにわたり得る。さらに、フォーマット３を使用してＱＰＵＣＣＨをサポートするための別の方法は、１ＲＢ設計を、同じコードレートおよびリソースマッピングを用いた２ＲＢ設計に拡張することであり得る。例えば、逆離散フーリエ変換（ＩＤＦＴ）は、１ＲＢではなく２ＲＢ上で行われ得る。別のオプションは、コード化ビットの１／２のみが１つのスロット中で利用可能であるという事実を考慮に入れるためにＰＵＣＣＨフォーマット３のための異なるコーディングを行うことである。
【０１３６】
[0151]  いくつかの場合には、ＱＰＵＣＣＨは、いくつかの既存のレガシーＰＵＣＣＨフォーマットをサポートしないことがある。例えば、フォーマット２ａ／２ｂはサポートされないことがある。代わりに、情報がフォーマット２ａまたは２ｂを使用して送られるべきである場合、その情報が、シングルスロット持続時間をもつフォーマット３上でマッピングされ、送られ得るように、新しいマッピングルールが定義され得る。例えば、ＵＥは、フォーマット２ａ／２ｂではなくフォーマット３を使用して、ＣＱＩをもつＡＣＫを送り得る。
【０１３７】
[0152]  さらに、図１４に示されているように、異なるＵＥのためのＱＰＵＳＣＨが各スロット中で多重化され得る。例えば、図示のように、２つのＵＥに対応する、１４０２におけるＱＰＵＳＣＨ１、および１４０４におけるＱＰＵＳＣＨ２は、スロット０中に多重化され得るが、第３のユーザに対応する１４１０におけるＱＰＵＳＣＨ３はスロット１中に多重化され得る。いくつかの態様では、グループおよびシーケンスホッピング、ならびにＰＵＳＣＨ上のアップリンク制御情報（ＵＣＩ）がサポートされ得る。
【０１３８】
[0153]  図１５に示されているように、いくつかの態様によれば、本明細書で提案する低減された（すなわち、０．５ｍｓに低減された）ＴＴＩは、ＨＡＲＱラウンドトリップ時間（ＲＴＴ）が同じく低減されることを可能にし得る。例えば、低減されたＴＴＩは、低減されたＵＬ  ＨＡＲＱ  ＲＴＴを可能にし得る。
【０１３９】
[0154]  レガシーＬＴＥ設計では、サブフレームｎ中の（ＡＣＫ／ＮＡＣＫを搬送する）物理ハイブリッドインジケータチャネル（ＰＨＩＣＨ）リソースは、サブフレームｎ−４（ＰＨＩＣＨをもつサブフレームより４ｍｓ前）からのＰＵＳＣＨ送信にマッピングされる。その上、（ＡＣＫされている）ＰＵＳＣＨも、ＰＵＳＣＨより４サブフレーム前のＰＤＣＣＨにマッピングされる。例えば、図１５に示されているように、サブフレームＳＦ  ｎ＋５中で送信されるＰＨＩＣＨは、サブフレームＳＦ  ｍ＋１中で送信されるＰＵＳＣＨにマッピングされ（およびＰＵＳＣＨのためのＡＣＫを搬送し）、そのＰＵＳＣＨは、（例えば、ＰＵＳＣＨのための許可を与えた）サブフレームＳＦ  ｎ−３中で送信されるＰＤＣＣＨにマッピングされる。従って、図示のように、レガシー通信のためのＨＡＲＱ  ＲＴＴ１５０２は、８ｍｓ（すなわち、ＰＤＣＣＨがＵＬ  ＨＡＲＱ送信をスケジュールしたときから、そのＵＬ  ＨＡＲＱ送信が確認応答されたときまでの時間）であり得る。
【０１４０】
[0155]  しかしながら、いくつかの態様によれば、本明細書で提示するＱＰＤＣＣＨとＱＰＵＳＣＨとを使用して、ＵＬ  ＨＡＲＱ  ＲＴＴは、例えば、８ｍｓから４ｍｓに低減され得る。例えば、図１５に示されているように、この低減されたＲＴＴ１５０４は、（サブフレームｍ−２の第１のスロット中で送信される）ＱＰＵＳＣＨ送信が（サブフレームｍの第１のスロット中で送信される）ＱＰＤＣＣＨを介してＡＣＫされることから生じ得る。さらに、図示のように、ＱＰＵＳＣＨは、サブフレームｍ−４の第１のスロット中で送られるＱＰＤＣＣＨを介してスケジュールされ得る）。
【０１４１】
[0156]  同様に、図１６に示されているように、低減されたＴＴＩは、低減されたＤＬ  ＨＡＲＱ  ＲＴＴをも可能にし得る。レガシーＬＴＥ設計では、（サブフレームｎ−３中で送られる）ＰＤＳＣＨ送信は、サブフレームｍ＋１中でＰＵＣＣＨ送信を介してＡＣＫされる。さらに、ＰＤＳＣＨの再送信はサブフレームｎ＋５中で行われ、再び８ｍｓのＨＡＲＱ  ＲＴＴを生じる。
【０１４２】
[0157]  しかしながら、いくつかの態様によれば、本明細書で提示するＱＰＤＣＣＨとＱＰＵＳＣＨとを使用することは、ＤＬ  ＨＡＲＱ  ＲＴＴを、例えば、８ｍｓから４ｍｓに低減し得る。図１６に示されているように、この低減されたＲＴＴは、（サブフレームｎ−４の第１のスロット中で送信される）ＱＰＤＳＣＨ送信が（サブフレームｍ−２の第１のスロット中で送信される）ＱＰＵＣＣＨを介してＡＣＫされることから生じる。さらに、図示のように、ＱＰＤＳＣＨは、サブフレームｎの第１のスロット中で再送信され得る）。
【０１４３】
[0158]  上記で説明したように、レガシーＰＵＣＣＨ  ＡＣＫは、ＰＵＣＣＨ  ＡＣＫより４ｍｓ前に行われたＤＬ割当てにマッピングされ得る。その結果、２ｍｓのＬＬ  ＨＡＲＱ  ＲＴＴの場合、（ＱＰＵＣＣＨ  ＡＣＫの２ｍｓ前にマッピングされた）ＱＰＵＣＣＨ  ＡＣＫリソースがいくつかのレガシーＵＥ  ＰＵＣＣＨ  ＡＣＫリソースと衝突し得ることが起こり得る。従って、本開示のいくつかの態様は、ＱＰＵＣＣＨリソースとＰＵＣＣＨリソースとの間の起こり得る衝突を回避するための解決策を提供する。
【０１４４】
[0159]  例えば、ＱＰＵＣＣＨリソースとＰＵＣＣＨリソースとの間の衝突を防ぐための１つのオプションは、（図に示されていない）２ｍｓターンアラウンドを有するＬＬ  ＡＣＫについての新しいマッピングルールを設計することであり得る。ＱＰＵＣＣＨとＰＵＣＣＨ衝突との間の衝突を防ぐための別のオプションは、ｅＮＢが、衝突を回避するように設計された様式で、レガシーＵＥとＬＬ  ＵＥとのためのダウンリンクデータ送信をスケジュールすることであり得る。両方のオプションにおいて、スロットベースＰＵＣＣＨ送信はスロットベースＤＬ割当てにマッピングされ得る。ＬＬ  ＵＥの観点から、スロットにわたって同じ周波数リソースを使用することは、ホッピングが使用されていないかのように見え得る。いくつかの場合には、ＱＰＵＣＣＨは、レガシーＰＵＣＣＨと同じ周波数ロケーションを使用し得る。例えば、スロット０およびスロット１は、異なるリソースブロックを使用し得、ＬＬ  ＵＥは、スロット０またはスロット１のいずれかを使用し得る。
【０１４５】
[0160]  いくつかの態様によれば、アップリンク送信にＡＣＫするために使用されるリソース上の衝突はまた、ＱＰＵＣＣＨリソースとＰＵＣＣＨリソースとの間の衝突を防ぐために上記で提示したのと同様の技法を適用することによって回避され得る。
【０１４６】
[0161]  本開示のいくつかの態様は、ＱＰＵＳＣＨとサウンディング基準信号（ＳＲＳ）多重化とを介したＬＬ  ＵＬデータチャネル送信を与える。例えば、ＱＰＵＳＣＨは、１つのＤＭＲＳシンボルをもつスロットレベル送信のために設計され得る。例えば、周波数トラッキングループは、いずれかの受信機実施形態に依拠し得る。
【０１４７】
[0162]  いくつかの態様では、ＱＰＵＳＣＨは、例えば、ＰＵＣＣＨフォーマット２の構造を再利用することによって２つのＤＭＲＳシンボルを備えるように設計され得る。いくつかの態様によれば、２つのＤＲＭＳシンボルをもつＱＰＵＳＣＨは、短縮パイロットを使用しなければならないことがある。
【０１４８】
[0163]  さらに、いくつかの態様によれば、ＱＰＵＳＣＨの場合、現在のインターサブフレームホッピングと概念的に同様であり得るスロットホッピングも可能にされ得る。
【０１４９】
[0164]  いくつかの態様によれば、短縮フォーマットおよびＳＲＳ送信の場合、レガシー送信との多重化を可能にするために、ＰＵＳＣＨおよびＰＵＣＣＨ短縮フォーマットがサポートされ得る。いくつかの場合には、ＳＲＳ送信は、スロット１中でのみサポートされ得る。
【０１５０】
[0165]  本開示のいくつかの態様はまた、アップリンク制御情報（ＵＣＩ）処理を提供する。例えば、ＵＣＩは、シングルキャリア周波数分割多重化（ＳＣ−ＦＤＭ）を維持するためにＰＵＳＣＨ上で送られ得る。例えば、チャネル優先度に基づいていくつかの送信をいつドロップすべきかを決定するために、レガシーＬＴＥ設計と同様のルールが使用され得る。さらに、ＬＬ  ＵＣＩのための同様のリソース決定が、ＰＵＳＣＨ上で使用され得る。例えば、ＰＵＳＣＨ割当てが１つのスロット割当てをもつＲＢ中で２倍になる場合、同様の数のリソースが保たれ得る。いくつかの場合には、より良い最適化を可能にするための、ＡＣＫ、ランクインジケータ（ＲＩ）、およびＣＱＩリソース決定のために、新しいパラメータ（α’）が使用され得る。
【０１５１】
[0166]  本開示のいくつかの態様は、ＣＱＩをスロットベースＰＵＳＣＨと多重化するための方法を提供する。例えば、ＣＱＩは、１スロットＰＵＳＣＨ上で多重化され得る。いくつかの態様では、１ｍｓ  ＴＴＩを用いたフォールバックモードにあるとき、１ｍｓ  ＣＱＩが使用され得る。
【０１５２】
[0167]  上記で説明した方法の様々な動作は、対応する機能を行うことが可能な任意の好適な手段によって行われ得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図（例えば、図７および／または図８）に示されている動作がある場合、それらの動作は、任意の好適な対応するカウンターパートのミーンズプラスファンクション構成要素によって行われ得る。例えば、与えるための手段、受信するための手段、送信／再送信するための手段、行うための手段、復調するための手段、割り振るための手段、決定するための手段、参加するための手段、および／またはスケジュールするための手段は、１つまたは複数の送信機／受信機（例えば、ＴＸ／ＲＸ６１８および／またはＲＸ／ＴＸ６５４）、および／または１つまたは複数のプロセッサ（例えば、ＴＸプロセッサ６１６／６１８、ＲＸプロセッサ６７０／６５６、および／またはコントローラ／プロセッサ６７５／６５８）を備え得る。
【０１５３】
[0168]  開示したプロセス中のステップの特定の順序または階層は、例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１５４】
[0169]  情報および信号は多種多様な技術および技法のいずれかを使用して表され得ることを、当業者は理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１５５】
[0170]  さらに、本明細書の開示に関して説明した様々な例示的な論理ブロック、モジュール、回路およびアルゴリズムステップは、電子ハードウェア、ソフトウェア／ファームウェア、またはそれらの組合せとして実施され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実施するか、ソフトウェア／ファームウェアとして実施するかは、特定の適用例および全体的なシステムに課される設計制約に依存する。当業者は、説明した機能を特定の適用例ごとに様々な方法で実施し得るが、そのような実施の決定は、本開示の範囲からの逸脱を生じるものと解釈されるべきではない。
【０１５６】
[0171]  本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実施され得る。
【０１５７】
[0172]  本明細書の開示に関して説明した方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＰＣＭ（相変化メモリ）、ＲＯＭメモリ、ＥＰＲＯＭメモリ、ＥＥＰＲＯＭメモリ、レジスタ、ハードディスク、リムーバブルディスク、ＣＤ  ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１５８】
[0173]  １つまたは複数の例示的な設計では、説明した機能は、ハードウェア、ソフトウェア／ファームウェア、またはそれらの組合せで実施され得る。ソフトウェアで実施される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。従って、いくつかの態様では、コンピュータ可読媒体は非一時的コンピュータ可読媒体（例えば、有形媒体）を備え得る。さらに、他の態様では、コンピュータ可読媒体は一時的コンピュータ可読媒体（例えば、信号）を備え得る。上記の組合せもコンピュータ可読媒体の範囲内に含まれるべきである。
【０１５９】
[0174]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびにａ、ｂ、またはｃの任意の数の組合せを包含するものとする。
【０１６０】
[0175]  本開示についての以上の説明は、いかなる当業者も本開示を作成または使用できるように与えたものである。本開示への様々な変更は当業者には容易に明らかになり、本明細書で定義した一般原理は、本開示の趣旨または範囲から逸脱することなく他の変形形態に適用され得る。従って、本開示は、本明細書で説明した例および設計に限定されるものではなく、本明細書で開示した原理および新規の特徴に合致する最も広い範囲を与えられるべきである。
【図１】
2020115648.tif 000003
【図２】
2020115648.tif 000004
【図３】
2020115648.tif 000005
【図４】
2020115648.tif 000006
【図５】
2020115648.tif 000007
【図６】
2020115648.tif 000008
【図７】
2020115648.tif 000009
【図８】
2020115648.tif 000010
【図９】
2020115648.tif 000011
【図１０】
2020115648.tif 000012
【図１１】
2020115648.tif 000013
【図１２】
2020115648.tif 000014
【図１３】
2020115648.tif 000015
【図１４】
2020115648.tif 000016
【図１５】
2020115648.tif 000017
【図１６】
2020115648.tif 000018
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局に、前記ＵＥが１つまたは複数の高速アップリンクチャネルを通して、短い送信時間間隔（ＴＴＩ）に従う通信をサポートすることが可能であるという指示を与えることと、ここにおいて、前記短いＴＴＩが、長いＴＴＩよりも少ないシンボルを含む、
高速物理アップリンク制御チャネル（ＱＰＵＣＣＨ）を送信することと、ここにおいて、前記ＱＰＵＣＣＨが、前記短いＴＴＩの持続時間を有し、前記ＱＰＵＣＣＨが、システム帯域幅よりも狭い帯域幅を有し、前記ＱＰＵＣＣＨが、前記長いＴＴＩのために使用されるフォーマットに基づいてフォーマットされる、
を備える、方法。
【請求項２】
前記長いＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
をさらに備える、請求項１に記載の方法。
【請求項３】
前記指示を与えることに応答して、前記短いＴＴＩに従う通信を行うために、前記基地局からパラメータを受信することをさらに備え、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、請求項１に記載の方法。
【請求項４】
前記長いＴＴＩのために使用される前記フォーマットが、
サブフレームの第１のスロット中でサポートされる、アップリンク制御情報を送信するための物理アップリンク制御チャネル（ＰＵＣＣＨ）フォーマットの第１のセットと、
サブフレームの第２のスロット中でサポートされる、ＰＵＣＣＨフォーマットの第２のセットと、
から選択され、前記第２のセットが前記第１のセットの低減されたサブセットである、
請求項１に記載の方法。
【請求項５】
前記長いＴＴＩが、前記短いＴＴＩの第１のインスタンスおよび前記短いＴＴＩの第２のインスタンスを含み、前記方法は、
前記短いＴＴＩの前記第１のインスタンス中で前記ＱＰＵＣＣＨを送信するためのリソースブロック（ＲＢ）の第１のセットの第１の割振りを、前記基地局から受信することと、
前記短いＴＴＩの前記第２のインスタンス中で第２の高速物理アップリンク制御チャネルを送信するための、ＲＢの前記第１のセットとは異なる、ＲＢの第２のセットの第２の割振りを、前記基地局から受信することと
をさらに備える、請求項１に記載の方法。
【請求項６】
前記長いＴＴＩが、前記短いＴＴＩの第１のインスタンスおよび前記短いＴＴＩの第２のインスタンスを含み、前記方法は、
前記短いＴＴＩの前記第１のインスタンスまたは前記短いＴＴＩの前記第２のインスタンス中で高速物理アップリンク共有チャネル（ＱＰＵＳＣＨ）においてデータを送信することと、
前記短いＴＴＩに従って前記基地局から送信された高速物理ダウンリンク制御チャネル（ＱＰＤＣＣＨ）において、前記ＱＰＵＳＣＨにおいて送信された前記データが前記基地局によって正常に受信されたかどうかの指示を受信することと
をさらに備える、請求項１に記載の方法。
【請求項７】
前記短いＴＴＩに従って前記基地局から送信された高速物理ダウンリンク共有チャネル（ＱＰＤＳＣＨ）においてデータを受信することをさらに備える、請求項１に記載の方法。
【請求項８】
前記ＱＰＤＳＣＨ送信が第２の高速物理アップリンク制御チャネル（ＱＰＵＣＣＨ）において正常に受信されたかどうかの指示を送信すること
をさらに備える、請求項７に記載の方法。
【請求項９】
前記第２のＱＰＵＣＣＨが、前記短いＴＴＩに従って前記ＱＰＤＳＣＨ送信を受信した後の後続のＴＴＩ中に送信される、請求項８に記載の方法。
【請求項１０】
前記長いＴＴＩが、前記短いＴＴＩの第１のインスタンスおよび前記短いＴＴＩの第２のインスタンスを含み、前記方法は、
サウンディング基準信号（ＳＲＳ）と多重化された前記短いＴＴＩの前記第１のインスタンスまたは前記短いＴＴＩの前記第２のインスタンス中で、高速物理アップリンク共有チャネル（ＱＰＵＳＣＨ）または前記ＱＰＵＣＣＨのうちの少なくとも１つを送信すること
をさらに備える、請求項１に記載の方法。
【請求項１１】
前記長いＴＴＩが、前記短いＴＴＩの第１のインスタンスおよび前記短いＴＴＩの第２のインスタンスを含み、前記方法は、
前記短いＴＴＩの前記第１のインスタンスまたは前記短いＴＴＩの前記第２のインスタンス中で高速物理アップリンク共有チャネル（ＱＰＵＳＣＨ）においてチャネル品質インジケータ（ＣＱＩ）を送信すること
をさらに備える、請求項１に記載の方法。
【請求項１２】
少なくとも１つのプロセッサに結合されたメモリを備える、ユーザ機器（ＵＥ）によるワイヤレス通信のための装置であって、ここにおいて、前記少なくとも１つのプロセッサは、
基地局に、前記ＵＥが１つまたは複数の高速アップリンクチャネルを通して、短い送信時間間隔（ＴＴＩ）に従う通信をサポートすることが可能であるという指示を与えることと、ここにおいて、前記短いＴＴＩが、長いＴＴＩよりも少ないシンボルを含む、
高速物理アップリンク制御チャネル（ＱＰＵＣＣＨ）を送信することと、ここにおいて、前記ＱＰＵＣＣＨが、前記短いＴＴＩの持続時間を有し、前記ＱＰＵＣＣＨが、システム帯域幅よりも狭い帯域幅を有し、前記ＱＰＵＣＣＨが、前記長いＴＴＩのために使用されるフォーマットに基づいてフォーマットされる、
を行うように構成される、装置。
【請求項１３】
前記少なくとも１つのプロセッサは、
前記長いＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
を行うようにさらに構成される、請求項１２に記載の装置。
【請求項１４】
前記少なくとも１つのプロセッサは、
前記与えられた指示に応答して、前記短いＴＴＩに従う通信を行うために、前記基地局からパラメータを受信すること、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、
を行うようにさらに構成される、請求項１２に記載の装置。
【請求項１５】
前記長いＴＴＩのために使用される前記フォーマットが、
サブフレームの第１のスロット中でサポートされる、アップリンク制御情報を送信するための物理アップリンク制御チャネル（ＰＵＣＣＨ）フォーマットの第１のセットと、
サブフレームの第２のスロット中でサポートされる、ＰＵＣＣＨフォーマットの第２のセットと
から選択され、前記第２のセットが前記第１のセットの低減されたサブセットである、
請求項１２に記載の装置。
【請求項１６】
前記長いＴＴＩが、前記短いＴＴＩの第１のインスタンスおよび前記短いＴＴＩの第２のインスタンスを含み、前記少なくとも１つのプロセッサは、
前記短いＴＴＩの前記第１のインスタンス中で前記ＱＰＵＣＣＨを送信するためのリソースブロック（ＲＢ）の第１のセットの第１の割振りを、前記基地局から受信することと、
前記短いＴＴＩの前記第２のインスタンス中で第２の高速物理アップリンク制御チャネルを送信するための、ＲＢの前記第１のセットとは異なる、ＲＢの第２のセットの第２の割振りを、前記基地局から受信することと
を行うようにさらに構成される、請求項１２に記載の装置。
【請求項１７】
前記長いＴＴＩが、前記短いＴＴＩの第１のインスタンスおよび前記短いＴＴＩの第２のインスタンスを含み、前記少なくとも１つのプロセッサは、
前記短いＴＴＩの前記第１のインスタンスまたは前記短いＴＴＩの前記第２のインスタンス中で高速物理アップリンク共有チャネル（ＱＰＵＳＣＨ）においてデータを送信することと、
前記短いＴＴＩに従って前記基地局から送信された高速物理ダウンリンク制御チャネル（ＱＰＤＣＣＨ）において、前記ＱＰＵＳＣＨにおいて送信された前記データが前記基地局によって正常に受信されたかどうかの指示を受信することと
を行うようにさらに構成される、請求項１２に記載の装置。
【請求項１８】
前記少なくとも１つのプロセッサが、前記短いＴＴＩに従って前記基地局から送信された高速物理ダウンリンク共有チャネル（ＱＰＤＳＣＨ）においてデータを受信するようにさらに構成される、請求項１２に記載の装置。
【請求項１９】
前記少なくとも１つのプロセッサは、
前記ＱＰＤＳＣＨ送信が第２の高速物理アップリンク制御チャネル（ＱＰＵＣＣＨ）において正常に受信されたかどうかの指示を送信するように構成される、請求項１８に記載の装置。
【請求項２０】
前記第２のＱＰＵＣＣＨが、前記短いＴＴＩに従って前記ＱＰＤＳＣＨ送信を受信した後の後続のＴＴＩ中に送信される、請求項１９に記載の装置。
【請求項２１】
前記長いＴＴＩが、前記短いＴＴＩの第１のインスタンスおよび前記短いＴＴＩの第２のインスタンスを含み、前記少なくとも１つのプロセッサが、
サウンディング基準信号（ＳＲＳ）と多重化された前記短いＴＴＩの前記第１のインスタンスまたは前記短いＴＴＩの前記第２のインスタンス中で、高速物理アップリンク共有チャネル（ＱＰＵＳＣＨ）または前記ＱＰＵＣＣＨのうちの少なくとも１つを送信するように構成される、請求項１２に記載の装置。
【請求項２２】
前記長いＴＴＩが、前記短いＴＴＩの第１のインスタンスおよび前記短いＴＴＩの第２のインスタンスを含み、前記少なくとも１つのプロセッサが、
前記短いＴＴＩの前記第１のインスタンスまたは前記短いＴＴＩの前記第２のインスタンス中で高速物理アップリンク共有チャネル（ＱＰＵＳＣＨ）においてチャネル品質インジケータ（ＣＱＩ）を送信するように構成される、請求項１２に記載の装置。
【請求項２３】
ユーザ機器（ＵＥ）によるワイヤレス通信のための装置であって、
基地局に、前記ＵＥが１つまたは複数の高速アップリンクチャネルを通して、短い送信時間間隔（ＴＴＩ）に従う通信をサポートすることが可能であるという指示を与えるための手段と、ここにおいて、前記短いＴＴＩが、長いＴＴＩよりも少ないシンボルを含む、
高速物理アップリンク制御チャネル（ＱＰＵＣＣＨ）を送信するための手段と、ここにおいて、前記ＱＰＵＣＣＨが、前記短いＴＴＩの持続時間を有し、前記ＱＰＵＣＣＨが、システム帯域幅よりも狭い帯域幅を有し、前記ＱＰＵＣＣＨが、前記長いＴＴＩのために使用されるフォーマットに基づいてフォーマットされる、
を備える、装置。
【請求項２４】
前記長いＴＴＩのために使用される前記フォーマットが、
サブフレームの第１のスロットでサポートされる、アップリンク制御情報を送信するための物理アップリンク制御チャネル（ＰＵＣＣＨ）フォーマットの第１のセットと、
サブフレームの第２のスロットでサポートされる、ＰＵＣＣＨフォーマットの第２のセットと、
から選択され、前記第２のセットが前記第１のセットの低減されたサブセットである、
請求項２３に記載の装置。
【請求項２５】
ユーザ機器（ＵＥ）によるワイヤレス通信のためのコンピュータプログラムであって、少なくとも１つのプロセッサによって実行されると、前記少なくとも１つのプロセッサに、
基地局に、前記ＵＥが１つまたは複数の高速アップリンクチャネルを通して、短い送信時間間隔（ＴＴＩ）に従う通信をサポートすることが可能であるという指示を与えることと、ここにおいて、前記短いＴＴＩが、長いＴＴＩよりも少ないシンボルを含む、
高速物理アップリンク制御チャネル（ＱＰＵＣＣＨ）を送信することと、ここにおいて、前記ＱＰＵＣＣＨが、前記短いＴＴＩの持続時間を有し、前記ＱＰＵＣＣＨが、システム帯域幅よりも狭い帯域幅を有し、前記ＱＰＵＣＣＨが、前記長いＴＴＩのために使用されるフォーマットに基づいてフォーマットされる、
を行わせる命令を備える、コンピュータプログラム。
【請求項２６】
前記長いＴＴＩのために使用される前記フォーマットが、
サブフレームの第１のスロットでサポートされる、アップリンク制御情報を送信するための物理アップリンク制御チャネル（ＰＵＣＣＨ）フォーマットの第１のセットと、
サブフレームの第２のスロットでサポートされる、ＰＵＣＣＨフォーマットの第２のセットと、
から選択され、前記第２のセットが前記第１のセットの低減されたサブセットである、
請求項２５に記載のコンピュータプログラム。
【手続補正２】
【補正対象書類名】明細書
【補正対象項目名】０１６０
【補正方法】変更
【補正の内容】
【０１６０】
[0175]  本開示についての以上の説明は、いかなる当業者も本開示を作成または使用できるように与えたものである。本開示への様々な変更は当業者には容易に明らかになり、本明細書で定義した一般原理は、本開示の趣旨または範囲から逸脱することなく他の変形形態に適用され得る。従って、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ユーザ機器（ＵＥ）によるワイヤレス通信のための方法であって、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うことと
を備える、方法。
［Ｃ２］
前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
をさらに備える、Ｃ１に記載の方法。
［Ｃ３］
前記低レイテンシ通信を行うために、前記基地局から、前記与えられた指示に応答してパラメータを受信することをさらに備え、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、Ｃ１に記載の方法。
［Ｃ４］
前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、
Ｃ１に記載の方法。
［Ｃ５］
アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、
Ｃ４に記載の方法。
［Ｃ６］
前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、
Ｃ４に記載の方法。
［Ｃ７］
前記低レイテンシ通信を行うことは、
前記タイムスロットのうちの１つ中で第１の高速物理アップリンク共有チャネル（ＱＰＵＳＣＨ）においてデータを送信すること
を備え、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信すること
をさらに備える、Ｃ４に記載の方法。
［Ｃ８］
前記低減されたＴＴＩに従って前記基地局から送信された高速物理ダウンリンク共有チャネル（ＱＰＤＳＣＨ）においてデータを受信することをさらに備える、Ｃ４に記載の方法。
［Ｃ９］
前記低レイテンシ通信を行うことは、
前記ＱＰＤＳＣＨ送信が高速物理アップリンク制御チャネル（ＱＰＵＣＣＨ）において正常に受信されたかどうかの指示を送信すること
を備える、Ｃ８に記載の方法。
［Ｃ１０］
前記ＱＰＵＣＣＨが、前記低減されたＴＴＩに従って前記ＱＰＤＳＣＨ送信からいくつかのサブフレーム後のタイムスロット中で送信される、Ｃ９に記載の方法。
［Ｃ１１］
前記低レイテンシ通信を行うことが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信すること
を備える、Ｃ４に記載の方法。
［Ｃ１２］
前記低レイテンシ通信を行うことが、
前記２つのタイムスロットのうちの１つ中で高速物理アップリンク共有チャネル（ＱＰＵＳＣＨ）においてチャネル品質インジケータ（ＣＱＩ）を送信すること
を備える、Ｃ４に記載の方法。
［Ｃ１３］
少なくとも１つのプロセッサに結合されたメモリを備える、ユーザ機器（ＵＥ）によるワイヤレス通信のための装置であって、ここにおいて、前記少なくとも１つのプロセッサは、
基地局に、前記ＵＥが１つまたは複数の高速アップリンクチャネルを通して低レイテンシ通信をサポートすることが可能であるという指示を与えることと、ここにおいて、前記１つまたは複数の高速アップリンクチャネルが、レガシー送信時間間隔（ＴＴＩ）よりもより短い持続時間を有する、前記低レイテンシ通信のための低減されたＴＴＩを可能にする、
前記低減されたＴＴＩに従って、前記１つまたは複数の高速アップリンクチャネルを使用して、前記基地局との前記低レイテンシ通信を行うことと
をするように構成される、装置。
［Ｃ１４］
前記少なくとも１つのプロセッサは、
前記レガシーＴＴＩに従って１つまたは複数のプロシージャを行うこと、ここにおいて、前記１つまたは複数のプロシージャが、セル探索、システム情報ブロック（ＳＩＢ）検出、ランダムアクセスチャネル（ＲＡＣＨ）プロシージャ、ページ検出、またはアイドルモードプロシージャのうちの少なくとも１つを備える、
を行うようにさらに構成される、Ｃ１３に記載の装置。
［Ｃ１５］
前記少なくとも１つのプロセッサは、
前記低レイテンシ通信を行うために、前記基地局から、前記与えられた指示に応答してパラメータを受信すること、ここにおいて、前記パラメータが、前記１つまたは複数の高速アップリンクチャネルのための時間リソース、前記１つまたは複数の高速アップリンクチャネルのための周波数リソース、または前記１つまたは複数の高速アップリンクチャネルを使用してダウンリンク送信に確認応答することにおいて使用するためのリソースへの前記ダウンリンク送信のマッピングのうちの少なくとも１つを示す、
を行うようにさらに構成される、Ｃ１３に記載の装置。
［Ｃ１６］
前記レガシーＴＴＩの持続時間がサブフレームの持続時間に対応し、ここにおいて、前記サブフレームが２つのタイムスロットを含む、
前記低減されたＴＴＩの前記より短い持続時間が前記タイムスロットの持続時間に対応する、
Ｃ１３に記載の装置。
［Ｃ１７］
アップリンク制御情報を送信するための高速物理アップリンク制御チャネル（ＱＰＵＣＣＨ）フォーマットの第１のセットが、前記２つのタイムスロットのうちの第１のタイムスロット中でサポートされ、
ＱＰＵＣＣＨフォーマットの第２のセットが、前記２つのタイムスロットのうちの第２のタイムスロット中でサポートされ、ここにおいて、前記第２のセットが前記第１のセットの低減されたサブセットであり、ここにおいて、前記第１のセットと前記第２のセットとの前記ＱＰＵＣＣＨフォーマットのうちの少なくともいくつかが、レガシー物理アップリンク制御チャネル（ＰＵＣＣＨ）フォーマットに基づく、
Ｃ１６に記載の装置。
［Ｃ１８］
前記ＵＥが、前記２つのタイムスロットのうちの第１のタイムスロット中で高速物理アップリンク制御チャネル（ＱＰＵＣＣＨ）を送信するためにリソースブロック（ＲＢ）の第１のセットを割り振られ、
前記ＵＥが、前記２つのタイムスロットのうちの第２のタイムスロット中でＱＰＵＣＣＨを送信するために、ＲＢの前記第１のセットとは異なるＲＢの第２のセットを割り振られる、
Ｃ１６に記載の装置。
［Ｃ１９］
前記少なくとも１つのプロセッサは、
前記タイムスロットのうちの１つ中で第１の高速物理アップリンク共有チャネル（ＱＰＵＳＣＨ）においてデータを送信すること
によって前記低レイテンシ通信を行うように構成され、
ここにおいて、前記少なくとも１つのプロセッサは、
前記低減されたＴＴＩに従って前記基地局から送信された高速物理ダウンリンク制御チャネル（ＱＰＤＣＣＨ）において、前記第１のＱＰＵＳＣＨにおいて送信された前記データが前記基地局によって正常に受信されたかどうかの指示を受信する
ようにさらに構成される、Ｃ１６に記載の装置。
［Ｃ２０］
前記少なくとも１つのプロセッサが、前記低減されたＴＴＩに従って前記基地局から送信された高速物理ダウンリンク共有チャネル（ＱＰＤＳＣＨ）においてデータを受信するようにさらに構成される、Ｃ１６に記載の装置。
［Ｃ２１］
前記少なくとも１つのプロセッサは、
前記ＱＰＤＳＣＨ送信が高速物理アップリンク制御チャネル（ＱＰＵＣＣＨ）において正常に受信されたかどうかの指示を送信すること
によって前記低レイテンシ通信を行うように構成される、Ｃ２０に記載の装置。
［Ｃ２２］
前記ＱＰＵＣＣＨが、前記低減されたＴＴＩに従って前記ＱＰＤＳＣＨ送信からいくつかのサブフレーム後のタイムスロット中で送信される、Ｃ２１に記載の装置。
［Ｃ２３］
前記少なくとも１つのプロセッサが、
サウンディング基準信号（ＳＲＳ）と多重化された前記２つのタイムスロットのうちの１つ中で、高速物理アップリンク共有チャネル（ＱＰＵＳＣＨ）または高速物理アップリンク制御チャネル（ＱＰＵＣＣＨ）のうちの少なくとも１つを送信すること
によって前記低レイテンシ通信を行うように構成される、Ｃ１６に記載の装置。
［Ｃ２４］
前記少なくとも１つのプロセッサが、
前記２つのタイムスロットのうちの１つ中で高速物理アップリンク共有チャネル（ＱＰＵＳＣＨ）においてチャネル品質インジケータ（ＣＱＩ）を送信すること
によって前記低レイテンシ通信を行うように構成される、Ｃ１６に記載の装置。
［Ｃ２５］
ユーザ機器（ＵＥ）によるワイヤレス通信のための方法であって、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することと
を備える、方法。
［Ｃ２６］
前記ａＰＤＣＣＨが、いくつかのタイプのＵＥに送信するとき、レガシー制御チャネルにおいて復調基準信号（ＤＭＲＳ）のために定義されたリソースを占有する、Ｃ２５に記載の方法。
［Ｃ２７］
前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、
Ｃ２５に記載の方法。
［Ｃ２８］
少なくとも１つのプロセッサに結合されたメモリを備える、ユーザ機器（ＵＥ）によるワイヤレス通信のための装置であって、ここにおいて、前記少なくとも１つのプロセッサが、
２つのスロットを備えるダウンリンクサブフレーム中で、基地局（ＢＳ）から少なくとも１つのタイプの高度物理ダウンリンク制御チャネル（ａＰＤＣＣＨ）を受信することと、
セル固有基準信号（ＣＲＳ）に基づいて前記ａＰＤＣＣＨを復調することと
を行うように構成される、装置。
［Ｃ２９］
前記ａＰＤＣＣＨが、いくつかのタイプのＵＥに送信するとき、レガシー制御チャネルにおいて復調基準信号（ＤＭＲＳ）のために定義されたリソースを占有する、Ｃ２８に記載の装置。
［Ｃ３０］
前記ａＰＤＣＣＨが、前記ダウンリンクサブフレームの前記２つのスロットにわたる制御チャネル領域において送信され、
前記ダウンリンクサブフレームがまた、マシンタイプ通信（ＭＴＣ）データトラフィックを搬送するために前記ダウンリンクサブフレームの前記２つのスロットにわたるデータチャネル領域を備え、
前記ａＰＤＣＣＨが、シングルスロット送信時間間隔（ＴＴＩ）を有する高速物理ダウンリンク制御チャネル（ＱＰＤＣＣＨ）を備える、
Ｃ２８に記載の装置。
【外国語明細書】
2020115648000001.pdf